(57)【要約】【課題】基板上のパターン欠陥を自動で修正する。【解決手段】２本のゲート配線３１と２本のドレイン配線３３で囲まれた領域に画素を有し、隣接する画素電極３４が短絡している欠陥に対し、該短絡部分のゲート配線３１とドレイン配線３３および画素電極３４のパターンに対応した透過パターンを有するマスクを介してレーザを照射することで、短絡部分２１を除去する。【選択図】図２
2006119575.tif 000002
【特許請求の範囲】
【請求項１】
検査装置の検査データに基づいて、基板上に形成した電子回路パターンの欠陥を修正して正常化するパターン修正装置であって、
前記電子回路パターンの標準パターンと同形状の領域にレーザ光を照射するレーザ照射手段と、
修正部近傍画像と修正部座標を前記検査装置から受け取る検査データ受信手段と、
前記修正部近傍画像から修正部とパターンを分離して検出する修正部・パターン検出手段と、
前記レーザ照射手段の照射領域を複数領域に分割して照射順序を決定する照射領域設定手段と、
前記基板上の電子回路パターンと前記レーザ照射領域とのずれ量を検出するパターンずれ検出手段と、
前記パターンずれ検出手段で検出したずれ量に基づき、前記基板または前記レーザ照射領域の少なくとも一方を移動させて前記基板上のパターンと前記レーザ照射領域との一致をとる位置調整手段と、
前記レーザ照射手段のレーザ照射後に、前記電子回路パターンの欠陥修正の成否を判定する修正成否判定手段と、を有すること
を特徴とするパターン修正装置。
【請求項２】
前記レーザ照射手段は、前記標準パターンと同一あるいは数倍の大きさを有するパターンを形成したマスクまたはミラーを使用し、
前記基板上に形成された修正対象のパターンの形状に応じて数種類の前記マスクまたはミラーを変更して使用すること
を特徴とする請求項１に記載のパターン修正装置。
【請求項３】
前記位置調整手段は、前記レーザ照射手段として標準パターンと同一あるいは数倍の大きさのパターンを形成したマスクまたはミラーを使用し、該マスクまたはミラーと前記基板を平行に、かつ同期して移動可能であり、
前記マスクまたはミラーを前記基板と同方向に、かつ該マスクまたはミラーの移動量と前記基板の移動量の比が該マスクまたはミラー上に形成された前記パターンと前記標準パターンの大きさの比に等しくなるように移動させること
を特徴とする請求項１に記載のパターン修正装置。
【請求項４】
前記レーザ照射手段は、複数の遮光素子またはミラーを格子状に配置してなり、それぞれの前記遮光素子またはミラーを独立に制御可能な手段を有すること
を特徴とする請求項１に記載のパターン修正装置。
【請求項５】
前記位置調整手段は、前記マスクまたはミラーの移動量と修正対象の前記基板の移動量の比を前記レーザ照射手段で該マスクまたはミラー上に形成されたパターンを投影するときの投影倍率に応じて変更すること
を特徴とする請求項３に記載のパターン修正装置。
【請求項６】
前記修正部・パターン検出手段は、修正部とパターンの相対的位置関係から修正の要否を判定する判定手段を有すること
を特徴とする請求項１に記載のパターン修正装置。
【請求項７】
前記照射領域設定手段は、前記各分割領域内に正常パターン部あるいは修正済みパターン部を含むようにレーザ照射領域を分割し、照射順序を決定すること
を特徴とする請求項１に記載のパターン修正装置。
【請求項８】
前記照射領域設定手段は、前記基板上に形成されたパターンと前記レーザ照射領域を重ね合わせるために少なくとも１点の基準点を使用するとともに、その基準点を前記修正部・パターン検出手段で検出した修正部とパターンの相対的位置によって決定すること
を特徴とする請求項１に記載のパターン修正装置。
【請求項９】
前記照射領域設定手段は、前記分割した前記レーザ照射領域の外形が、円または１２角形、若しくは８角形であること
を特徴とする請求項1に記載のパターン修正装置。
【請求項１０】
前記照射領域設定手段は、前記分割した前記レーザ照射領域の外形が、４角形または６角形であり、かつその角が円形状であること
を特徴とする請求項1に記載のパターン修正装置。
【請求項１１】
前記照射領域設定手段は、前記検査データ受信手段で取得した前記修正部近傍画像を使用して当該修正部近傍の基準点を決定するとともに、前記レーザ照射領域を分割すること
を特徴とする請求項１に記載のパターン修正装置。
【請求項１２】
前記修正成否判定手段が、前記修正前後の画像を比較することにより修正の成否を判定し、修正未完と判定された場合には再度レーザ照射すること
を特徴とする請求項１に記載のパターン修正装置。
【請求項１３】
前記パターンずれ検出手段が、前記ステージ上の所定位置に前記マスク像を投影し、該マスク像を前記基板上パターンを検出するための手段で検出し、これを記憶した後、前記基板上パターンと前記記憶したパターンのずれ量を検出すること
を特徴とする請求項１に記載のパターン修正装置。
【請求項１４】
前記マスク像投影位置として、前記基板を前記ステージに受け渡す位置に該ステージを移動させたとき、前記マスク像投影領域が前記基板上のパターンを検出するための手段の視野内に存在すること
を特徴とする請求項１３に記載のパターン修正装置。
【請求項１５】
前記マスク像投影手段が、パターン修正装置のレーザであること
を特徴とする請求項１３に記載のパターン修正装置。
【請求項１６】
前記パターンずれ検出手段が、前記ステージ上の所定位置に前記マスク像を投影し、該マスク像を前記基板上のパターンを検出するための手段で検出し、これを記憶した後、該マスクパターンの輪郭を抽出して、前記基板上パターン画像に重ねて表示するとともに、前記マスクの移動と同期して前記マスク像を移動させること
を特徴とする請求項１に記載のパターン修正装置。
【請求項１７】
前記パターンずれ検出手段が、前記ステージ上の所定位置に前記マスク像を投影し、該マスク像を前記基板上のパターンを検出するための手段で検出し、これを記憶した後、同一画面上の上下あるいは左右に前記マスク像と前記基板上のパターン画像をそれぞれ表示するとともに、前記マスクの移動と同期して前記マスク像を移動させること
を特徴とする請求項１に記載のパターン修正装置。
【請求項１８】
前記パターンずれ検出手段が、前記マスク像と前記基板上のパターンを異なる撮影手段で撮影し、同一画面上の上下あるいは左右に前記マスク像と前記基板上のパターン画像をそれぞれ表示すること
を特徴とする請求項１に記載のパターン修正装置。
【請求項１９】
前記パターンずれ検出手段が、前記基板上のパターン画像と前記マスク像が一致したときの該基板と該マスクの相対位置を記憶すること
を特徴とする請求項１６〜１８に何れかに記載のパターン修正装置。
【請求項２０】
前記照射領域設定手段が、あらかじめ分割した前記レーザ照射領域のうち、前記修正部・パターン検出手段で検出した修正部を含む領域のみレーザを照射すること
を特徴とする請求項１に記載のパターン修正装置。
【請求項２１】
電子回路パターンが形成された基板のパターン修正装置であって、
標準パターンと同形状の領域にレーザ光を照射するレーザ照射手段と、
修正部近傍画像と修正部座標を検査装置から受け取る検査データ受信手段と、
前記修正部近傍画像から修正部とパターンを分離して検出する修正部・パターン検出手段と、
前記レーザ照射領域を複数領域に分割し、照射順序を決定する照射領域設定手段と、
前記基板上パターンと前記レーザ照射領域のずれ量を検出するパターンずれ検出手段と、
前記回路パターンずれ検出手段で検出したずれ量に基づき、前記基板上のパターンと前記レーザ照射領域が一致するように、前記基板または前記レーザ照射領域の少なくとも一方を移動させる位置調整手段と、
レーザ照射後に修正の成否を判定する修正成否判定手段と、
前記電子回路パターンと同等の機能を有する塗布材料を供給してパターン欠損部を補完する修正手段とを有すること
を特徴とするパターン修正装置。
【請求項２２】
少なくとも前記パターン欠損部を覆う量の塗布材料を塗布し、前記電子回路パターンとして余分な部分をマスクまたはミラーを使用して照射したレーザ光により除去すること
を特徴とする請求項２１に記載のパターン修正装置。
【請求項２３】
電子回路パターンが形成された基板のパターン修正装置であって、
標準パターンと同形状の領域にレーザ光を照射するレーザ照射手段と、
修正部近傍画像と修正部座標を検査装置から受け取る検査データ受信手段と、
前記修正部近傍画像から修正部とパターンを分離して検出する修正部・パターン検出手段と、
レーザ照射領域を複数領域に分割し、照射順序を決定する照射領域設定手段と、
前記基板上のパターンと前記レーザ照射領域のずれ量を検出するパターンずれ検出手段と、
前記回路パターンずれ検出手段で検出したずれ量に基づき、前記基板上のパターンと前記レーザ照射領域が一致するように、前記基板または前記レーザ照射領域の少なくとも一方を移動させる位置調整手段と、
レーザ照射後に修正の成否を判定する修正成否判定手段と、
前記基板を撮影する撮像素子と、該基板に検査光を照射する垂直落射照明と斜方照明と透過照明との何れかを単体で、または複合して用いることで前記回路パターン上に存在する異物または断線やショート等のパターン欠陥を顕在化し、さらに画像処理装置で前記欠陥の抽出および欠陥種を分類する検査手段と、
前記回路パターンの欠損部に、該パターンと同等の機能を有する材料を供給する材料塗布手段と、
前記回路パターンと前記塗布材料の光学特性から、落射照明、斜方照明、透過照明、偏光照明、検出などを単体または複合して前記塗布材料の塗布量を計測し、前記材料塗布手段を制御する塗布量制御手段とを有すること
を特徴とするパターン修正装置。
【請求項２４】
前記検査手段で実施する検査工程と、前記レーザ照射あるいは配線材料を塗布する前記修正工程において、
前記検査工程と前記修正工程での処理速度を調整するために、前記検査工程は一定速度で処理し、前記修正工程と前記検査工程間の搬送および該修正工程の搬送速度を、欠陥種や欠陥サイズ、欠陥数に応じて制御すること
を特徴とする請求項２３に記載のパターン修正装置。
【請求項２５】
前記欠陥種や欠陥サイズ、欠陥数に応じて、複数の修正搬送系に基板を搬送し、欠陥位置情報と欠陥修正方法と欠陥修正工程を制御すること
を特徴とする請求項２３に記載のパターン修正装置。
【請求項２６】
無機物もしくは有機物を成膜後、レジスト塗布、露光、現像処理を順次施したガラス基板を対象として、現像完了段階のレジストパターンを外観検査して致命欠陥位置情報を抽出し、抽出した致命欠陥位置のレジストパターン形状を正常な形状に修正した後に、エッチング、レジスト剥離処理を順次施すことにより、成膜した材料を所定のパターンに加工すること
を特徴とする表示装置の製造方法。
【請求項２７】
前記ガラス基板上に無機物もしくは有機物を成膜後に外観検査を実施して、その検査結果情報を格納し、
しかる後に、レジスト塗布、露光、現像処理を順次施した後、現像完了段階のレジストパターンを外観検査して致命欠陥位置情報を抽出し、
先に格納しておいた成膜完了段階での検査結果情報との比較処理を実施することにより致命欠陥位置情報を抽出し、
抽出した致命欠陥情報に基づいてレジストパターン形状を正常な形状に修正した後に、エッチング、レジスト剥離処理を順次施すことにより、成膜した材料を所定のパターンに加工すること
を特徴とする請求項２６に記載の表示装置の製造方法。
【請求項２８】
前記ガラス基板上に無機物もしくは有機物を成膜後に外観検査を実施し、
外観検査で発見した異物を除去すると共に、異物除去座標の情報を格納し、
しかる後に、レジスト塗布、露光、現像処理を順次施した後に、現像完了段階のレジストパターンを外観検査して致命欠陥位置情報を抽出し、
抽出した致命欠陥位置のレジストパターン形状を正常な形状に修正すると共にレジストパターン修正座標位置を格納し、
エッチング、レジスト剥離処理を順次施すことにより、成膜した材料を所定のパターンに加工する際に、先に格納しておいた成膜完了段階での検査結果情報およびレジストパターン修正座標情報から致命異物発生状況を管理すると共に一定の管理基準を超えた場合に警告を発生して、対策を指示すること
を特徴とする請求項２６に記載の表示装置の製造方法。
【請求項２９】
上面にレジストパターンが形成された層をエッチングすることで形成されるパターン層を複数有する表示装置の製造方法であって、
前記パターン層各々の形成工程において、前記エッチングに先立って、レジストパターンの検査工程と、前記検査工程の検査結果に従ってレジストパターンを修正する修正工程と、を行うこと
を特徴とする表示装置の製造方法。
【請求項３０】
請求項２９に記載の表示装置の製造方法であって、
前記修正工程は、
前記検査工程での検査結果がレジストパターンのショート欠陥を示している場合、当該レジストパターンのショート欠陥部分をレーザ加工によりオープンにする処理を含むこと
を特徴とする表示装置の製造方法。
【請求項３１】
請求項２９又は３０に記載の表示装置の製造方法であって、
前記修正工程は、
前記検査工程での検査結果がレジストパターンのオープン欠陥を示している場合、当該レジストパターンのオープン欠陥部分にレジスト材を再塗布する処理と、当該レジスト材の再塗布部分をレーザ加工して、局所的にレジストパターンを再形成する処理と、を含むこと
を特徴とする表示装置の製造方法。
【請求項３２】
請求項２９乃至３１のいずれか一項に記載の表示装置の製造方法であって、
前記修正工程は、
前記検査結果での検査結果がレジストパターンに対する異物混入を示している場合、当該レジストパターンの異物混入部分を含む領域にレジスト材を再塗布する処理と、当該レジスト材の再塗布部分をレーザ加工して、当該異物混入部分に形成されるべきレジストパターンがオフセットされて当該異物混入部分を避けるように、局所的にレジストパターンを再形成する処理とを含むこと
を特徴とする表示装置の製造方法。
【請求項３３】
請求項２９に記載の表示装置の製造方法であって、
局所的にオフセットされたレジストパターンを用いて形成されたパターンがアイランドである場合、当該アイランドよりも上位のパターン層の形成工程において、前記オフセットがなかったと仮定した場合に形成されたであろう当該アイランドの位置に形成されるべきレジストパターンが、前記オフセットされたレジストパターンにより形成された当該アイランドの位置まで延びるように、局所的に変形されたレジストパターンを形成する処理を含むこと
を特徴とする表示装置の製造方法。
【発明の詳細な説明】
【技術分野】
【０００１】
本発明は、所定のパターンが形成された基板のパターン形状の凸部分をレーザで修正するとともに、欠損部に配線材料を塗布して修正するパターン修正技術に係り、液晶表示装置の製造方法に好適なものである。また、本発明は、表示装置の製造技術に関し、特に、ＴＦＴ基板等に作り込まれた回路パターンの不具合発生を未然に防止する技術に関する。
【背景技術】
【０００２】
液晶表示装置は、２枚のガラス基板の間に液晶を挟み込んだ構造となっており、一方のガラス基板（カラーフィルタ（CF）基板とも言う）には青、緑、赤の樹脂（色樹脂）を交互に塗布したカラーフィルタが形成され、もう一方の基板（アクティブ・マトリクス基板、あるいは薄膜トランジスタ（TFT）基板とも言う）には薄膜トランジスタで構成された画素回路や配線、あるいは駆動回路などが形成されている。
【０００３】
カラーフィルタや配線にパターン欠陥を生じると表示異常となり、その液晶表示装置は不良品となる。表示異常には、例えば、カラーフィルタ基板では、カラーフィルタに塗布された色樹脂が隣の画素にはみ出したために生じる色不良（混色）や、樹脂の膜厚が均一でないために生じる塗布むらなどがあり、アクティブ・マトリクス基板では、配線間のショートや断線などがある。
【０００４】
液晶表示装置のカラーフィルタや配線は数層のパターンを重ね合わせて形成される。そのため、パターン欠陥は上層パターンを形成する前に修正する必要がある。パターン欠陥の検出方法には、画像処理を用いた一般的なパターン検査装置を用いることができる。
【０００５】
カラーフィルタの色樹脂のはみ出しや配線ショートの修正方法としては、特許文献１に開示されているように、ショート部分にレーザ光を照射して除去することによって修正する方法が一般的である。液晶表示装置のように、同一形状のパターンが繰り返し形成されている場合には、特許文献２に開示されているように、標準パターン形状を持つマスクを介してレーザ光を照射することにより、標準パターンと異なる部分を除去し、修正する方法がある。パターン欠損部に配線材料を塗布する方法としては、特許文献３に開示されているように先端径が細く絞られた中空のピペットをもちいて塗布する方法がある。
【０００６】
また、特許文献４には、半導体装置の回路パターンに発生したショート欠陥をレーザ加工によりオープンにすることで修正する技術が開示されている。また、引用文献５には、半導体装置の回路パターンに発生したオープン欠陥を、パラジウム等の金属材料（回路パターンの素材）を液状もしくはガス状にして、該オープン欠陥部分に塗布もしくは吹き付け、レーザ加工することにより修正する技術が開示されている。
【０００７】
【特許文献１】特開平９-３０７２１７号公報
【特許文献２】特開平５-２７１１１号公報
【特許文献３】特開平８-６６６５２号公報
【特許文献４】特開平１０-１７７８４４号公報
【特許文献５】特開平１０-３２４９７３号公報
【発明の開示】
【発明が解決しようとする課題】
【０００８】
パターン欠陥にレーザを照射して修正する場合、修正作業を行うオペレータが欠陥位置にレーザ照射領域を合わせてから、レーザを照射する。また、標準パターンをもつマスクを介してレーザを照射する場合においても、オペレータが実パターンに合わせてレーザ照射領域を設定する必要がある。いずれの方法も、オペレータがレーザ照射位置を決めているため、修正後のパターン形状がオペレータの技量に左右されるだけでなく、すべての修正機にオペレータを配置しなければならず、コスト高となる。したがって、レーザ照射領域を自動的に決定できることが望まれる。
【０００９】
レーザ照射領域を自動的に決定する方法として、レーザ照射領域と実パターンの画像を取得し、画像処理によって、あらかじめ教示した基準点を検出した後、それらの基準点を重ね合わせることによってパターン合わせを行う方法がある。この方法によれば、自動修正が可能である。
【００１０】
しかし、基準点は形状に特徴のある位置に設定する必要があるため、基準点を設定できる領域は限られている。そのため、基準点に欠陥がある場合や基準点と欠陥位置が離れているために観察光学系の視野に同時に入らない場合には基準点が見つからず、パターン合わせができないという問題が生じる。
【００１１】
そこで、本発明の目的は、マスクを介してレーザ光を照射することによって得られるレーザ照射領域と実パターンをアライメントする機構を提供するとともに、自動でパターン欠陥を修正する装置を提供することにある。
【００１２】
また、上記の特許文献４、５に記載の技術は、表示装置に作り込まれた回路パターンを修正するため、修正によって回路パターンに凹凸ができる。したがって、所望の品質・精度を有する回路パターンを得ることが困難である。
【００１３】
また、従来、回路パターンの検査は、表示装置の完成後に行われていた。回路パターンはパターン層を複数積層することで表示装置に作り込まれるため、回路パターンの欠陥は表示装置の最上位層に形成されたパターンに対するもののみが修正可能であった。
【００１４】
本発明は上記事情に鑑みてなされたものであり、本発明の他の目的は、回路パターンの品質・精度を低下させることなく、表示装置に作り込まれた回路パターンの不具合発生を防止することにある。
【課題を解決するための手段】
【００１５】
上記課題を解決するために、本発明の第一の態様は、修正するパターンと同形状の標準パターンをもつマスクを対象パターンに応じて切り替えて使用し、基板を乗せた基板ステージとマスクを乗せたマスクステージを同期して移動させる機構とすることにより、基準点で基板とマスクの位置を重ね合わせた後、基板ステージとマスクステージを同期して欠陥位置まで移動させることができ、欠陥が大きい場合でも、基板上パターンとマスクパターンを精度良く重ね合わせてレーザ光を照射できるようにした。
【００１６】
また、検査装置から受け取る欠陥近傍画像から欠陥とパターンを検出し、その位置関係から基準点とレーザ照射領域をあらかじめ決定することにより、基板上パターンの基準点が見つからないという問題や、欠陥が大きいためにアライメントできないという問題を解決するとともに、基板上のパターンの基準点をサーチする時間を短縮できるようにした。
【００１７】
また、本発明の第二の態様は、上面にレジストパターンが形成された層をエッチングすることで形成されるパターン層を複数有する表示装置の製造方法であって、前記パターン層各々の形成工程において、前記エッチングに先立って、レジストパターンの検査工程と、前記検査工程の検査結果に従ってレジストパターンを修正する修正工程と、を行う。
【００１８】
ここで、前記修正工程は、前記検査工程での検査結果がレジストパターンのショート欠陥を示している場合、当該レジストパターンのショート欠陥部分をレーザ加工によりオープンにする処理を含むものでもよい。また、前記検査工程での検査結果がレジストパターンのオープン欠陥を示している場合、当該レジストパターンのオープン欠陥部分にレジスト材を再塗布する処理と、当該レジスト材の再塗布部分をレーザ加工して局所的にレジストパターンを再形成する処理と、を含むものでもよい。
【発明の効果】
【００１９】
本発明により、欠陥の修正精度が向上するだけでなく、修正の自動化が可能となるため、表示品質の向上とコスト低減を図ることができる。さらに、修正の自動化により、検査・修正が連続搬送で可能になり、検査・修正工程の処理時間低減と歩留まり向上によるコスト低減を図ることができる。
【００２０】
また、本発明によれば、レジストパターンに対して修正を行うのでパターン欠陥の修正によるパターン層への影響を低減できる。また、表示装置のパターン層各々の形成工程においてレジストパターンの検査および修正を行うので、各パターン層のパターン欠陥を修正できる。したがって、回路パターンの品質・精度を低下させることなく、表示装置に作り込まれた回路パターンの不具合発生を防止することができる。
【発明を実施するための最良の形態】
【００２１】
以下、本発明の最良の実施形態につき、実施例の図面を用いて詳細に説明する。なお、実施例の説明では液晶表示装置の配線修正を例にとって説明するが、一般的に平面上に形成されたパターンの修正に適用可能であり、液晶表示装置に限定されるものではない。
【実施例１】
【００２２】
一般的に、液晶表示装置は、２枚のガラス基板の間に液晶を挟み込んだ構造となっており、マトリクス配置した多数の画像の画素電極と対向電極および液晶で形成されるコンデンサ内の電界によって個々の画素の液晶の分子の向きを制御して電子潜像を生成し、透過型の液晶表示装置では、この電子潜像を背面に設けたバックライトの光の透過率を制御して可視化することで画像を表示するものである。アクティブ・マトリクス基板上には画素電極の印加電圧を制御する回路を形成し、カラーフィルタ基板上に例えば３色のカラーフィルタを形成することでカラー画像を表示する。
【００２３】
図１は、液晶表示装置のアクティブ・マトリクス基板に形成される画素の一例を説明する平面模式図である。図１には隣接する２画素分を示す。アクティブ・マトリクス基板に形成される各種の配線や電極は絶縁層を介在させた薄膜多層回路で構成される。図１において、ガラスを好適とする基板９上に多数のゲート配線３１が1方向に平行に形成されている。ゲート配線３１の一部に薄膜トランジスタのゲート電極３１Ａが画素内に突出して形成されている。ゲート電極３１Aの上には活性層である半導体層（ここでは、ａ-Ｓｉ層）３２のアイランドがパターニングされている。
【００２４】
ゲート配線３１を覆って図示しないゲート絶縁層が形成され、ゲート絶縁層で絶縁された複数のドレイン配線３３がゲート配線３１と交叉する他方向に平行に形成され、２本のゲート配線３１と2本のドレイン配線３３で囲まれた領域に１画素が形成される。ドレイン配線３３の一部は半導体層３２の上に延在して薄膜トランジスタのドレイン電極３３Ａとなっている。また、半導体層３２の上で上記ドレイン電極３３Ａと近接して対峙し、薄膜トランジスタのチャネルを形成するソース電極３３Ｂもドレイン電極３３Ａと同層に形成されている。
【００２５】
ゲート配線３１やドレイン配線３３の上層はパッシベーション層が成膜され、その上に画素電極３４が形成されている。画素電極３４はＩＴＯを好適とする透明電極であり、図示しないコンタクトホールを介してソース電極３３Ｂに導電接続される。なお、ドレイン電極３３Ａとソース電極３３Ｂは、動作中入れ替わるが、説明の便宜上、上記のように表記する。
【００２６】
ゲート配線３１は走査配線、ドレイン配線３３は信号配線であり、走査信号で選択されたゲート配線３１に接続する薄膜トランジスタがオンとなり、そのドレイン配線３３に供給される表示データに応じた電圧が画素電極３４に生成される。この画素電極３４と図示しない対向電極との間に当該画素電極３４に生成される電圧に応じた大きさの電界が生成される。この電界により液晶の分子配向が制御されてバックライトからの照明光の透過量をコントロールして可視画素を形成する。
【００２７】
このような薄膜多層回路は、一般的にホトリソグラフィ技術により、ゲート電極３１、ゲート絶縁膜、半導体層、ドレイン電極、画素電極の順に形成される。各層は重なる部分が存在するため、ショートや断線等のパターン異常は、次の層を形成する前に修正する必要がある。
【００２８】
ホトリソグラフィ技術による配線形成では、まず配線材料を基板全体に均一に成膜し、感光性樹脂であるホトレジストを塗布する。次に、回路パターンを形成したマスクを介して光を照射してホトレジストを感光させる。ポジ形ホトレジストの場合は、現像すると感光した部分が除去され、ホトレジストのパターンが形成される。さらに、エッチング工程、レジスト剥離工程を経て配線が形成される。
【００２９】
パターン形状異常の一つであるショートはエッチングされずに残った部分であり、レジスト残りやエッチング不足により生じる。特に、レジスト塗布時に付着した異物は表面張力により異物の周りにレジストが集まるため、巨大なレジスト残りが発生し、数画素にまたがる配線ショートが発生する。
【００３０】
図２は、複数の画素電極にまたがる巨大な短絡（ショート）２１が存在する例を示す模式平面図である。ここでは、隣接４画素に跨って画素電極３４が短絡した状態を示す。一般的なレーザ加工機は矩形形状のレーザを照射できるようになっており、ショート部分を数回に分けて除去する。しかし、図２のように画素電極のパターンが完全につぶれている場合には元の配線パターンが分からないため、電極の形状を高精度に修復することは困難である。
【００３１】
そこで、図３のようなショート２１部分の配線パターンと同形状のレーザ透過パターン２２を持つマスク５を介してレーザ光を照射することにより、ショート２１の部分を除去して各画素毎の画素電極３４のそれぞれに分離することで、高精度なパターン修正が可能である。
【００３２】
液晶表示装置の回路は数層のパターンを積層して形成されるため、パターン異常部以外にレーザを照射すると、既に形成された下の層が影響を受ける可能性がある。画素電極３４のパターン異常の場合を例に取って説明する。一般的に、画素電極３４はＩＴＯ（Indium Tin Oxide）を使用し、ゲート配線３１とドレイン配線３３はアルミニウムを使用する。ＩＴＯは、短波長、例えば２００〜３００ｎｍでの吸収率が高く、アルミニウムはその波長での反射率が高い。したがって、波長２００〜３００ｎｍのレーザ光を照射すれば、ＩＴＯのみ除去することができる。所定の配線パターンを有するマスクを使用したレーザ修正では、修正するパターン異常部以外にもレーザ光を照射するが、材料のレーザ光吸収特性の差を利用することで、修正すべき箇所のみ除去することが可能である。
【００３３】
図４は、本発明に係るレーザ照射光学系構成の説明図である。また、図５は、本発明に係る修正装置のシステム構成の説明図である。レーザ発振器１から照射されたレーザ光１００をビームエキスパンダ２で所定のビーム径に広げ、ホモジナイザ３でレーザ照射領域全面でのレーザ強度の均一性を確保する。整形したレーザ光をマスクステージ４上に設置されたマスク５を通過させ、さらに結像レンズ６と対物レンズ７を通過させた後、基板ステージ８に載置されたガラス基板９上の配線パターン１０あるいは電極等の修正箇所１１に照射する。
【００３４】
結像レンズ６と対物レンズ７はマスク５の像をガラス基板９上に投影するように配置されており、結像レンズ６と対物レンズ７の焦点距離の比（Ｍ＝対物レンズ７の焦点距離／結像レンズ６の焦点距離）倍の大きさでガラス基板９上にマスク像を投影する。この光学系構成により、マスク５の透過部分を縮小した領域にレーザ光を照射することができる。
【００３５】
マスク５上には、ガラス基板９上に形成された配線パターン１０の標準パターンを１／Ｍ倍したマスクパターン１６が形成されている。マスクパターン１６は，レーザ光１００に対して反射率の高い材料、例えばアルミニウム等で形成するのがよい。
【００３６】
マスクステージ４と基板ステージ８は、レーザ照射光学系の光軸方向と垂直な面内で移動することができ、互いに同期して移動させることができる。マスクステージ４に搭載されたマスク５の像はガラス基板９上に１／Ｍに縮小されて投影されるため、マスクステージ４の移動量をＶとすると、投影されたマスク像はＶ／Ｍ移動する。したがって、マスクステージ４の移動量と基板ステージ８の移動量の比がマスクパターン１６と配線パターン１０の大きさの比と等しくなるように、マスクステージ４と基板ステージ８を同期して移動させることにより、配線パターン１０とレーザ照射パターンを一致させたまま移動させることができる。
【００３７】
前述の通り、マスクパターン１６と配線パターン１０の大きさの比は結像レンズ６と対物レンズ７の焦点距離の比と等しい。一般的に、結像レンズ６は固定であるため、マスクパターン１６と配線パターン１０の大きさの比は対物レンズ７によって決定される。したがって、対物レンズ７の交換機構と連動して、マスクステージ４の移動量と基板ステージ８の移動量の比を変更できる機構を付加することもできる。
【００３８】
マスク５を介して照射されるレーザ光パターンとガラス基板９上の配線パターン１０の位置を合わせるためには、一般的に、それぞれのパターン上に基準点を設定し、それぞれの基準点の相対的位置が所定の値となるように位置合わせする。基準点の検出はパターンマッチング等の一般的な方法を用いることができる。パターンマッチングは、あらかじめパターンの特徴のある部分の画像をテンプレートとして登録するとともに、その画像上に基準点を設定し、実パターンの画像から登録した画像と一致する場所を検出することによって、基準点を検出する手法である。配線パターンの基準点は、このパターンマッチング手法によって容易に検出できる。
【００３９】
次に、マスク５を介して照射されるレーザ光パターンの基準点を検出する方法について図４を参照して説明する。まず、光源１２から照射した照明光をレンズ１３で集光してハーフミラー４８aを介してマスク５に照射すると、結像レンズ６と対物レンズ７によってマスク５の像（マスク像、マスクパターン）がガラス基板９上に結像される。このマスクパターンを記憶するときには、マスク像以外のものが写らないようにする必要があるため、基板ステージ８上のパターン投影部２０に投影するか、あるいはガラス基板９と同じ厚さを持つ板状の治具を基板ステージ８上に置き、該治具表面にマスク像を投影してもよい。
【００４０】
結像位置はガラス基板９の表面であるため、パターン投影部２０の高さをガラス基板表面にあわせるが、ガラス基板９の厚さの変更に対応できるよう、対物レンズ７と基板ステージ８間の距離を変更できる機構を有する。基板ステージ８がガラス基板９をロード/アンロードするときの位置にあるとき、パターン投影部２０が視野に入る位置に該パターン投影部２０を取り付ける。これにより、修正すべきガラス基板を基板ステージ８にロードする度にレーザ照射領域の位置をチェックでき，誤修正することを防ぐことができる。
【００４１】
マスク５を照明する照明光として加工用のレーザ光を用いることもできる。一般的に、レーザを照射するために使用する結像レンズ６や対物レンズ７は、照射するレーザ波長に合わせた色補正をしたものを使用する。そのため、波長の異なる光を照明光として使用すると、屈折率の違いから、マスク像の位置がずれる。加工用のレーザ光を用いれば、このようなずれがなくなるというメリットがある。レーザ出力を小さくするか、マスク像投影部に加工されない材料を用いることで，容易に実現できる。
【００４２】
パターン投影部２０に投影されたパターン像をハーフミラー４８bを介して画像入力装置であるＣＣＤカメラ１４で撮影するとき、マスク全体の像を撮影するため、マスクステージ４をステップ送りして撮影する。このとき、マスクステージ４の移動量と撮影した画像を対応づけてマスク像記憶部６０に保存する。
【００４３】
図５の修正装置のシステム構成は、レーザ発振器１とレーザコントローラ１Ａ、レンズ切り替え機４０、レンズコントローラ４０Ａ、マスクステージ４、マスクステージコントローラ４Ａ、マスクステージのエンコーダ４Ｂ、画像入力装置１４、基板ステージ８、基板ステージコントローラ８Ａ、基板ステージのエンコーダ８Ｂ、マスク像記憶部６０、基準点記憶部７０、総合ステージコントローラ７４を備える。また、画像データ取得部７１、照射領域計画部７２、装置コントローラ７３、異物除去ノズル７５を備え、各構成要素は図中に矢印で示した制御関係、被制御関係で接続されている。レーザ光パターンの基準点は、マスク像記憶部６０に記憶したマスク像の配線パターンに設定した基準点に近い位置に設定する。
【００４４】
また、図４のハーフミラー４８ｂの向きを９０度回転させ、切り替え、レンズ１５を対物レンズ７と同じ焦点距離のレンズに変更可能な機構を設けることにより、マスク像を直接ＣＣＤカメラ１４上に結像させて撮影する方法を採用してもよい。
【００４５】
次に、レーザ光パターンと配線パターンを重ねたときのレーザ光パターンの基準点と配線パターンの基準点の相対的位置関係を求める方法を図４と図６を参照して説明する。なお、図６は、マスクと実パターンの基準点を取得する方法の第１例の説明図である。図４の基板ステージ８にガラス基板９を乗せ、正常な配線のパターン画像（Ａ）をＣＣＤカメラ１４で撮影してモニタ６４に表示する。このとき、図６に示すように、撮影した配線のパターン画像（Ａ）とマスク像記憶部６０に記憶されているマスク画像(Ｂ)を半透過画像の重ね合わせた合成画像（Ｃ）として表示する。
【００４６】
半透過画像を重ね合わせた合成画像（Ｃ）は、配線のパターン画像（Ａ）の輝度値とマスク画像(Ｂ)の輝度値の平均値を算出することで容易に表示できる。画面上でのマスク画像は、マスクステージ４に同期して表示されており、マスクステージ４を移動すると、モニタ６４の画面上のマスク画像も移動する。オペレータ操作により、二つの画像が一致するように基板ステージ８あるいはマスクステージ４を移動させ、一致したところで配線のパターン画像（Ａ）の基準点とマスク画像(Ｂ)の基準点の相対的位置を記憶する。
【００４７】
図７は、マスクと実パターンの基準点を取得する方法の第２例の説明図である。配線のパターン画像（Ａ）とマスク画像(Ｂ)をモニタ６４に同時に表示する別の方法として、図７に示すように、マスク画像(Ｂ)から抽出した輪郭線であるマスクエッジ画像（Ｂ'）を配線のパターン画像（Ａ）に重ねて表示する方法としてもよい。マスクエッジ画像（Ｂ'）は照明光が通過した部分と遮光された部分からなり、コントラストの高い画像である。したがって、その輪郭抽出は、一般的なエッジ検出手法を用いればよい。配線のパターン画像（Ａ）とマスクエッジ画像（Ｂ'）を重ね合わせて表示する方法としては、配線のパターン画像（Ａ）が明るい（輝度値が高い）画像の場合は輪郭線位置に当たる画素を黒（輝度値が０に近い値）で表示し、配線パターン画像が暗い（輝度値が低い）画像の場合は白（輝度値が最大値に近い値）で表示すればよい。
【００４８】
図８は、マスクと実パターンの基準点を取得する方法の第３例の説明図、また、図９は、マスクと実パターンの基準点を取得する方法の第４例の説明図であり、図６で説明した配線のパターン画像（Ａ）とマスク画像(Ｂ)を用いた他の基準点の取得方法である。図８では、配線のパターン画像（Ａ）にマスク画像(Ｂ)の一部を上下に重ねて表示し、両画像の境界でのパターンの重なり方を比較する方法である。また、図９では、配線のパターン画像（Ａ）にマスク画像(Ｂ)の一部を左右に重ねて表示し、両画像の境界でのパターンの重なり方を比較する方法である。
【００４９】
図１０は、配線のパターンの基準点とマスク像の基準点との相対的位置関係を登録する別の方法を実現するレーザ照射光学系構成の説明図である。図４と同一符号は同一機能部分を示し、繰り返しの説明は省略する。図１０は、図４の構成に光源１２ｂとＣＣＤカメラ１４ｂ、レンズ１３ｂ、１５ｂを追加したものである。図１０では、まず、光源１２ａで照明されたマスク像をＣＣＤカメラ１４ｂの撮像素子上に結像させて撮影するとともに、パターン投影部２０上に結像させたマスク像をＣＣＤカメラ１４ａで撮影する。ＣＣＤカメラ１４ａ、１４ｂで撮影した画像を図６〜図９に示した方法で同一画面に表示し、ＣＣＤカメラ１４ａ、１４ｂの位置を調整して一致させる。
【００５０】
次に、ガラス基板９を基板ステージ８に乗せ、光源１２ｂを点灯し、ガラス基板９上の配線パターンが撮影できるようにする。ＣＣＤカメラ１４ａ、１４ｂで撮影した画像を図６〜図９の方法で同一画面に表示して、２つの画像が一致するようにマスクステージ４か基板ステージ８の位置を調整し、一致したところで配線のパターン画像の基準点とマスク像の基準点の相対的位置を記憶する。
【００５１】
修正部がレーザ照射領域より大きい場合は、レーザを数回に分けて照射し、当該修正部を除去する。このとき、パターンの基準点を起点として、ステップ移動しながら修正する。パターン基準点が修正部に含まれる場合にはパターンマッチングで基準点が見つからないため、隣接する配線のパターン画像の基準点を使用する。一般的には、最初の位置で基準点が見つからない場合は渦巻き状に視野を移動し、基準点が見つかるまでサーチする方法がとられる。
【００５２】
しかし、有効な基準点が見つかるまでサーチすると時間がかかり、所定の時間で修正することができなくなるだけでなく，欠陥を間違って基準点と判定する場合がある。そこで、検査装置から取得した欠陥近傍画像を使用して，使用するパターン基準点やステップ領域をあらかじめ計画して設定する。
【００５３】
ここで、レーザ照射領域の計画方法について説明する。まず，パターン基準点の検出方法について説明する。図１１は、レーザ照射領域の計画方法の説明図であり、図１１（ａ）は欠陥部を有する画素の配線パターンの平面図、図１１（ｂ）は抽出した欠陥部の説明図である。また、図１２は、抽出したパターン基準点の説明図である。図１１（ａ）の配線パターンを画像処理して図１１（ｂ）に示す欠陥画像を抽出するとともに、図１２に示すパターンマッチングによりパターン基準点候補８１ａ〜８１ｅを検出する。
【００５４】
このパターンマッチングにおいて、マッチングするテンプレートの範囲に欠陥が存在すると検出誤差が大きくなるため、検出したマッチング領域８０ａ、８０ｂ、８０ｃ、８０ｄ、８０えと欠陥２１の位置関係から欠陥２１を含まないマッチング領域を選択する。このルールにより、図１２の例では、マッチング領域８０ｃは欠陥２１を含むため除外される。残ったマッチング領域８０ａ，８０ｂ，８０ｄ，８０ｅの中から使用するパターン基準点を選択するが、例えば、基準点からの移動時間を短縮するため欠陥に最も近いパターン基準点８１ａを選択する。また、２つ以上の基準点を使用すると、位置合わせ精度がさらに向上するため、パターン基準点８１ａと８１ｄを選択するのもよい。
【００５５】
次に、レーザ照射領域の設定法の一例を説明する。図１３は、レーザ照射領域の検出法を説明する図である。図１１に示した欠陥２１は２値化画像で与えられているとする。図１３に示すように、Ｘ座標値毎に欠陥２１に含まれる画素数をカウントすることによってＸ軸への投影値を算出することができる。同様に、Ｙ軸についても投影値を算出する。Ｘ軸，Ｙ軸への投影値から得られた始点と終点から欠陥領域８５を検出できる。一般的に、未加工部の発生を防ぐため、レーザ照射領域８６は欠陥領域８５より所定値だけ大きく設定する。ここで、パターン基準点８１とレーザ照射領域８６の相対的位置関係を記憶する。
【００５６】
図１４は、レーザ照射領域の設定法の説明図である。また、図１５は、レーザ照射領域形状の説明図である。欠陥２１が大きいために、一回のレーザ照射で欠陥全体にレーザを照射できない場合には、図１４（ａ）に示すように、数回に分けてレーザを照射する。レーザ照射領域８６の大きさは既知であるため欠陥領域８５の左上の点から所定量オフセットした点を始点として欠陥領域８５を完全に含むようにレーザ照射領域８６ａ、８６ｂ、８６ｃ、８６ｄを設定する。未加工部の発生を防ぐため、各レーザ照射領域は若干量重ねて設定する。レーザ一回照射のときと同様に、パターン基準点８１と各レーザ照射領域の相対的位置関係を記憶する。
【００５７】
レーザ照射領域８６は、図１４（ｂ）に示すように六角形でもよい。一般的に光学系の視野は円形であるため、四角形より六角形の方が一度に照射される面積が大きくなり、ショット数を低減できるという効果がある。未加工部の発生を防ぐためレーザ照射域８６を重ねて設定するため、複数回レーザを照射する領域が存在する。これを回避するため、図１５（ａ）（ｂ）のように角を切った形状や、図１５（ｃ）（ｄ）のように円形形状にするとよい。
【００５８】
数回に分けてレーザを照射するとき、レーザ照射領域のステップ移動精度が高い必要がある。液晶表示装置の製造では基板サイズの大形化が進んでおり、１ｍ超から２ｍの基板を使用する。それに伴い、基板ステージも大きくなっており、サブミクロンのステップ移動精度を確保するには、移動速度の低下やコスト増加を招く。そのため、修正装置では、一般的に、修正位置で再度アライメントする必要がある。しかし、前述の通り、アライメントに使用する基準点位置には制約があるため、必ずしも修正位置に基準点があるとは限らない。そこで、配線パターンや加工済み配線パターンを利用してアライメントする。
【００５９】
図１６は、図１１に示した欠陥を含む配線の修正途中のマスクアライメントの説明図である。この欠陥は図１４に示したように、欠陥２１を４回のレーザ照射で除去する。図１６は図１４（ａ）のレーザ照射領域８６ａにレーザを照射した後の図である。この次に、レーザ照射領域８６bにレーザを照射するときにステップ移動するが、移動精度が不十分であるときには修正により形成された配線部８７ａと正常部８７ｂのパターンを使って、レーザ照射領域８６bを精密にアライメントする。この方法を用いれば、数回ステップ移動してもアライメントがずれることはない。また、レーザ照射領域よりも大きい欠陥であっても、修正済みパターン部分を重ねていくことで精密にアライメント可能である。
【００６０】
図１７は、レーザ照射領域の他の設定方法を説明する図である。この設定方法は、パターン基準点８１に対するレーザ照射領域８６をあらかじめ設定しておき、図１１（ｂ）の欠陥画像と比較してレーザ照射する領域を選択する方式である。この方式は、あらかじめレーザ照射領域を設定できるため、例えば、図１７（ｂ）に示したように、ＴＦＴ部９１がレーザ照射領域８６aの中心になるように設定することで図１７（ａ）に示したパターン形状が複雑なＴＦＴ部９１を高精度で加工できるだけでなく、レーザ照射領域の重なり部をレーザ照射による影響の小さいところに設定することが可能となる。
【００６１】
図１８は、レーザ照射領域のさらに他の設定方法を説明する図である。あらかじめ設定するレーザ照射領域８６は、図１８に示したような形状でもよい。図１８は、欠陥が発生する可能性がある領域のみ、レーザ照射領域を設定した例である。レーザを照射できない領域がある場合に有効な領域指定方法である。この例においても図１１（ｂ）の欠陥画像と比較してレーザ照射する領域を選択する。
【００６２】
図１９は、マスクホルダの構成例の説明図である。前記したように、液晶表示装置のＴＦＴ基板は数層の薄膜を重ね合わせて形成する。そのため、数種類の修正パターンが存在する。一つ装置で一つのパターンしか修正できない構成とすると、修正層の変更や品種の変更毎にマスクを取り替える作業が必要となり、効率が悪い。そこで、図１９（ａ）に示すような構造のマスクステージを使用するとよい。Ｘステージ５２上に設置されたマスクホルダ５１に数種類のマスク５を装着する。マスクホルダ５１はＸステージ５２に対して相対的に移動できる構造となっており、修正対象によって使用するマスクを切り替えることができる。
【００６３】
Ｘステージ５２とＹステージ５３は配線パターンとの位置合わせで使用する。θステージ５４はマスク５と配線パターンの傾きを補正するために使用するが、マスク５をセットしたときの調整値を記憶しておき、マスク切り替え時には記憶した値で回転補正すればよい。スリットプレート５６には矩形や円形斜め線などの単純な形状の穴が開けられており、マスクで修正したパターン形状を微調整したり、異物に集中的にレーザを照射して除去する等の用途に使用できる。
【００６４】
図１９（ｂ）はマスクステージの別の例である。マスクホルダ５１はＸステージ５２に固定されており、Ｘステージ５２とＹステージ５３を移動することでマスクを切り替えることができる。
【００６５】
さて、図４において、マスク５の代わりに液晶表示装置を用い、これに必要なパターンを形成することもできる。液晶表示装置を使用することで任意のパターンを作ることができるため、上記のようなマスクの切り替えをする必要がない。この際、レーザによる液晶表示装置のダメージを小さくするためには、パターンの縮小倍率を上げればよい。例えば、縮小率を１／１００にすると、マスク位置にある液晶表示装置ではエネルギー密度が１/１００００になるため、ダメージを小さくすることができる。
【００６６】
図２０は、配線パターンと同形状のレーザ照射領域を設定する他のレーザ照射光学系構成の説明図である。図４、図１０と同一符号は同一機能部分に対応し、繰り返しの説明は省略する。図２０において、ミラー１８は石英ガラス等の透明基板上にアルミニウム等のレーザ光の反射率が高い材料を蒸着して製作される。アルミニウム等で形成した反射部は、マスク５と同様に、レーザ光を照射したときに図３のようなレーザ照射領域となるようにパターンが形成されている。また、斜めから入射されたレーザ光を基板に垂直に照射するために、ミラーの反射面１７はミラー１８に対して角度をつけて形成されている。なお、ミラー１８の代わりに、ＤＭＤ（Digital Micromirror Device）を使用することで、ＣＡＤデータから生成したパターン形状となるようＤＭＤをコントロールし、任意形状の照射領域をもつレーザを照射することができる。
【００６７】
図２１は、本発明のパターン修正装置の他の構成例の説明図である。図４、図１０、図２０と同一符号は同一機能部分に対応し、繰り返しの説明は省略する。図２１において、レーザ発振器１から出力したスポット状のレーザ光をガルバノミラー９８で反射させ、Ｆθレンズ９７でマスク面に垂直にレーザ光を入射する。ガルバノミラー９８の角度を変えることによりマスク５の面全体にレーザ光を照射することができる。この方式は、スポット光をスキャンするため、マスク５の面内で均一な強度でレーザを照射することが可能となる。
【００６８】
図２２は、本発明のパターン修正装置の全体構成の一例を示す図である。図２２（ａ）は、基板ステージ８上に基板９を設置し、基板ステージ８はＹ方向に移動する駆動軸を持つ。光学ユニット１０１は、図４、図１０、図２０、図２１に示した光学系が設置されているユニットであり、Ｘ方向とＺ方向に移動する駆動軸を持つ。レーザ照射位置の位置決めは基板ステージ８のＹ軸移動と光学ユニット１０１のＸ軸移動で行い、フォーカスは光学ユニット１０１のＺ軸で合わせる。この構成は、フットプリントが大きくなるというデメリットがある反面、二軸を独立に制御できるため高精度に位置決め可能である。
【００６９】
図２２（ｂ）は別の装置構成例であり、光学ユニット１０１は光学ユニットステージ１０２に取り付けられている。光学ユニットステージ１０２はＹ方向に移動する駆動軸を持ち、光学ユニット１０１はＸ方向とＺ方向に移動する駆動軸を持つ。この構成は、装置のフットプリントを小さくできるというメリットがある。
【００７０】
図２３は、本発明のパターン修正装置の全体構成の他例を示す図である。図２３（ａ）では、光学ユニットステージ１０３は床に設置されたレール１０４上に取り付けられている。一般的に、基板９は除振台１０５の上に設置するため、光学ユニット１０１が移動するときに発生する振動をガラス基板に伝えない構造であるだけでなく、除振台１０５を小さくすることができる。この構成において、図２２（ａ）と同様に、基板ステージ８を移動させ、光学ユニットステージ１０２を固定する構成でもよい。
【００７１】
図２３（ｂ）は基板ステージ８を傾けた構造であり、ガラス基板９を基板ステージ８に吸着して移動させる。ガラス基板のロードとアンロードは、基板ステージ８を水平にして行う方法やガラス基板９を立てて保持することが可能な搬送装置を使用する方法などがある。装置の設置床面積すなわちフットプリント縮小のためには、基板ステージ８と水平面とのなす角度θの範囲は限定されないが、特に、８０〜９５度の範囲にあると、レーザ加工時に発生する加工屑の再付着やレンズ汚染を防止することができる。
【００７２】
図２４は、光学ユニット１０１の付属装置の説明図である。図２４（ａ）はレンズ保護カバーの一例を示す。レーザ加工時に発生する加工屑やヒュームがレンズ１１０の表面に付着することを防止するために、レンズ前面にこのようなレンズ保護カバーをつける。レンズ保護カバーを固定して使用するとカバー自体が汚れるため、フィルム状のレンズ保護カバー１１２をロール１１３に巻いて装着し、レーザ照射終了時に巻き取り、レーザ照射時には新しい部分を使用できるようにする。
【００７３】
レンズ１１０の交換を容易にするため、レンズカバーガイド１１１を取り付け、レンズ保護カバー１１２とレンズ１１０の間に隙間ができるようにする。加工対象が飛散物等の少ない加工物である場合には、定期的にカバーを取り替えればよいため、レンズ前面に取り付けられるキャップ状のカバーを取り付けてもよい。また、レンズ付近にヒュームを吸引するダクトを取り付ける方法やレンズ前面に窒素あるいは空気を吹きつけ、汚れの付着を防止する方法でもよい。
【００７４】
図２４（ｂ）は異物除去ノズルの一例である。パターン検査で検出される欠陥には異物も含まれるが、ガラス基板９の表面に付着しただけの異物１１６もある。このような異物１１６は異物除去ノズル１１５から窒素または空気を吹き付けることによって容易に除去することができる。
【００７５】
図２５は、異物除去を実施するときの修正フローの説明図である。まず、修正装置にガラス基板をロードし（ステップ１、以下Ｓ1のように表記する）、欠陥位置に移動後（Ｓ２）、画像を取得する（Ｓ３）。窒素または空気を吹き付けて異物を除去した後（Ｓ４）、再度画像を取得する（Ｓ５）。窒素または空気を吹き付ける前後の画像を比較して（Ｓ６）、画像に差があれば異物が取り除かれたと判定してレーザを照射せず、画像に差がなければ異物が固着していると判断してレーザを照射する（Ｓ７）。次の欠陥存在をチェックし（Ｓ８）、欠陥があれば上記のステップを繰り返し、欠陥が無くなった時点でガラス基板をアンロードする（Ｓ９）。
【００７６】
欠陥修正の要否を図１１に示すような欠陥近傍画像で判定できる。図１２のようにパターン基準点８１ａ〜８１ｅが検出できるので、基準点との相対的位置関係から修正が必要な欠陥と修正不要な欠陥を容易に判定することができる。修正が不要な部分については、レーザを照射する必要はない。本実施例により、数画素にまたがるショート欠陥が存在しても、一括修正が可能となるため、コスト削減とともに修正精度向上を図ることができる。
【実施例２】
【００７７】
図２６は、本発明の実施例２を説明するプロセス図である。図２６は実施例２での液晶パネルに用いるスイッチング素子である薄膜トランジスタが形成されるガラス基板の製造プロセスを示したものである。このスイッチング素子が形成されたガラス基板は通称「ＴＦＴ基板」もしくは「アレイ基板」と呼ばれ、以下ＴＦＴ基板と称する。実施例２では、先ず、ＴＦＴ基板の製造に供するガラス基板に無機物もしくは有機物の成膜を施す（Ｓ１０）。代表的な無機物としては、ＴＦＴ基板の配線を構成する金属材料が挙げられる。成膜が完了したガラス基板にはレジスト塗布、焼成を施す（Ｓ１１）。
【００７８】
ここで、レジストとは感光性の材料であり、成膜した材料を所定の形状に加工するために用いられるものである。次に、レジストに露光を施す（Ｓ１２）ことにより、ＴＦＴ基板を構成する配線パターンでレジストを露光させる。次に、レジストを現像することにより（Ｓ１３）、ＴＦＴ基板を構成する配線パターンと同一のレジストパターンが成膜されたガラス基板上に残る。
【００７９】
次に、ガラス基板上に形成されたレジストパターンの外観検査を実施する（Ｓ１４）。外観検査では、ガラス基板に成膜された成膜材料とレジストパターンとのコントラストが明瞭に出る。従って、異物等が核になって、レジスト形状が異常となった部位が判別できる。次に、レジストパターンの外観検査に基づき、致命欠陥位置情報抽出を実施する（Ｓ１５）。外観検査では一般管理基準を超えた形状異常、寸法異常となったパターン欠陥を致命欠陥候補として抽出する。レジスト形状の異常としては、本来独立しているべき複数の部位がつながってしまうショート不良と本来つながっているべき部位が欠損しているオープン不良に大別される。実施例２では特にショート不良を対象として説明する。
【００８０】
次に、液晶パネルを構成する配線パターンの設計情報に基づき、致命的な領域の位置情報を求め、レジストパターンの外観検査によって得られるレジストパターン形状、寸法、位置情報から、真の致命欠陥に関する位置情報を抽出する。ここで、致命的なレジストパターンの形状、寸法、位置情報に関する情報は配線パターンの形状、および電気特性から求められるものであり、ＴＦＴ基板の設計仕様により異なる。
【００８１】
しかる後に、レジストパターン修正を実施する（Ｓ１６）。レジストパターン修正では、致命欠陥位置情報を抽出した際に同時に獲得した致命欠陥の形状、寸法を用いて加工諸元を決定する。この場合のレジストパターン修正は既に他の実施例で説明した様に、ショートしたレジストをレーザ等により除去するものである。レジストパターン修正が完了したガラス基板は欠陥が存在しないので、次工程であるエッチング（Ｓ１７）で、成膜した材料のうちレジストが覆い被さっていない部分が加工される。そして、レジスト剥離が完了することにより（Ｓ１８）、成膜した材料が正規のパターン形状でガラス基板上に残る（Ｓ１９）。これら成膜（Ｓ１０）からレジスト剥離（Ｓ１８）までの一連の処理を所定
数繰り返すことによりＴＦＴ基板が完成する。
【実施例３】
【００８２】
図２７は、本発明の実施例３を説明するプロセス図である。図２７では、液晶パネルに用いるＴＦＴ基板の製造プロセスを示したものである。実施例３では、先ずＴＦＴ基板の製造に供するガラス基板に無機物もしくは有機物の成膜を施す（Ｓ３０）。ここで成膜される代表的な無機物としてはＴＦＴ基板に設けられる透明金属であるＩＴＯ（Indium Tin Oxicide）が挙げられるので、以下ＩＴＯ膜を代表例として説明する。
【００８３】
成膜が完了した段階で、外観検査を実施する（Ｓ３１）。ここで、ＩＴＯは透明膜であるために、ＩＴＯ上に存在する異物とＩＴＯより下層に存在する異物との両方を認識できる。この成膜完了段階での外観検査の結果は成膜後外観検査結果の格納（Ｓ４１）という処理によりデータを蓄積する。次に、ＴＦＴ基板にはレジスト塗布と焼成（Ｓ３２）、露光（Ｓ３３）、現像（Ｓ３４）を施した後にレジストパターンの外観検査を実施する（Ｓ３５）。レジストパターンの外観検査の結果はレジストパターンの外観検査の結果の格納（Ｓ４２）という処理によりデータを蓄積する。
【００８４】
ここで、レジストパターンの外観検査の結果には成膜上のレジストの形状異常位置情報とレジストは存在していないが透明膜下に存在する異物の両方が観測される。そこで差分処理（Ｓ４３）によりレジストの塗布と焼成以降に発生したレジストパターンの形状異常部位だけを分離抽出する。分離抽出したレジストパターン形状異常部とＴＦＴ基板の設計仕様から致命欠陥位置情報抽出を実施する（Ｓ３６）。
【００８５】
しかる後に、レジストパターン修正を実施し（Ｓ３７）、エッチングを実施し（Ｓ３７）、レジスト剥離を実施することにより（Ｓ３９）、成膜した材料が正規のパターン形状でガラス基板上に残る。これら成膜（Ｓ３０）からレジスト剥離（Ｓ３９）までの一連の処理を所定回数繰り返すことによりＴＦＴ基板が完成する。
【実施例４】
【００８６】
図２８は、本発明の実施例４を説明するプロセス図である。図２８では、先ず、ＴＦＴ基板の製造に供するガラス基板に無機物もしくは有機物の成膜（Ｓ５０）を施す。次に、外観検査を実施する（Ｓ５１）。ここで、成膜上に存在し，かつ所定の管理寸法以上の異物を抽出する。次に、異物除去を実施する（Ｓ５２）。ここでの異物除去には接触式の除去手段と非接触の除去手段の二種類の除去手段が適用可能である。接触式の除去手段としてはブラシの回転運動，往復運動振動に代表されるようにブラシを成膜上の異物に当てて除去する手段がある。また、ピンセットに代表されるような器具を用いて除去する手段、針状の構造体や刃物に類似する構造体で除去する手段が適用できる。そして、この際に異物除去座標情報の格納処理を実施する（Ｓ６３）。一方、非接触の異物除去手段としては、レーザ光線および高圧流体が挙げられる。
【００８７】
次に、ＴＦＴ基板にはレジスト塗布と焼成（Ｓ５３）、露光（Ｓ５４）、現像（Ｓ５５）を施した後に、レジストパターンの外観検査を実施する（Ｓ５６）。次に、致命欠陥位置情報抽出（Ｓ５７）を実施後に、レジストパターンを修正し（Ｓ５８）、レジストパターン修正結果の格納を実施する（Ｓ６４）。しかる後に、エッチング（Ｓ５９）、レジスト剥離を実施する（Ｓ６０）。
【００８８】
次に、修正数管理基準判定に進む（Ｓ６１）。ここでは、既に検査を実行したために蓄積されている異物除去座標情報とレジストパターン修正結果を用いる。異物除去座標情報から修正した異物の数が管理基準を満たさない場合は成膜に異物が多いことを意味しており、工程管理警告を発して（Ｓ６５）、成膜装置内点検および対策を促す。また、ジストパターン修正結果の格納（Ｓ６４）の結果が修正数管理基準を満たさない場合はレジスト塗布と焼成（Ｓ５３）から現像（Ｓ５５）までの間で不具合が発生していることを表しており、これも先程と同様に工程管理警告を発して（Ｓ６５）、該当する装置の点検および対策を促す。勿論、修正数が管理基準を満足している場合にはＴＦＴ基板に対して次の成膜を施し（Ｓ６２）、ＴＦＴ基板を形成していく。これにより、常時工程を監視することが可能となり、修正するだけではなく、設備保全のタイミングの適正化を図ることができる。
【実施例５】
【００８９】
以下、液晶表示装置の配線修正の実施例５を説明する。実施例５では、実施例１と同様に、液晶表示装置の配線修正を例にとって説明するが、平面上に形成された一般的なパターンの修正に適用可能であり、液晶表示装置に限定されるものではない。
【００９０】
図２９は、液晶表示装置の配線パターンに断線がある場合の修正を説明する図である。
ＴＦＴ基板におけるＴＦＴアレイの形成工程、特に電極・配線の形成工程において、異物付着などの原因で図２９に示したように、配線（ここでは、ドレイン配線３３）に断線２１６が発生する場合がある。そのため、例えば、ドレイン配線３３が形成された後で外観検査などにより該ドレイン配線３３の断線の有無を検査し、断線を発見した場合には必要に応じて修正する。尚、ゲート配線３１についても同様に断線が発生する場合があるが、以下に述べるようにドレイン配線の断線修正と同様に修正することが可能であるし、ＴＦＴ基板の製造工程の初期段階のため、全配線、電極パターンを剥離除去して再製作しても良い。
【００９１】
図３０は、実施例５の断線欠陥修正方法を実施するのに好適な修正装置の構成を示す図である。本装置は、実施例１で示したレーザによるショート修正が可能である自動修正装置の構成に断線修正用の材料塗布機構２０６が付加したものである。なお、符号２０１は修正統合コントローラ、２０４はレーザヘッド駆動軸、２０７はレーザ、２０８は欠陥部である。
【００９２】
図３０には、材料塗布機構２０６をパターン修正装置光学系２０２の光軸に対して斜めに配置し、この斜め方向から断線修正用の材料を塗布する構成を示す。図３１は、断線修正用の材料の塗布状態を説明する材料塗布機構の拡大図である。実施例５により、パターン修正装置光学系２０２の観察像で実時間で塗布位置や材料塗布状態を確認し、塗布機構制御装置２０３で制御することが可能となる。例えば、図３１に示すように、材料塗布機構２０６を電子回路基板２１０（例えば、ＴＦＴ基板）に接触させて塗布する際には、基板２１０に過度に接触して基板２１０を損傷させないように、または塗布機構２０６を損傷させないように基板２１０に塗布機構２０６が接触した状態を検出する必要がある。パターン修正装置光学系２０２でモニタすることで好適な接触状態で塗布材料を供給することが可能となる。
【００９３】
以下に、ＴＦＴ基板の配線の一部が欠落している場合、すなわち断線状態にある場合を例に、断線欠陥を修正する手順について詳細に説明する。ここでは、図２９に示した断線欠陥２１６を修正する場合を例としてについて説明する。検査装置（図示せず）により断線欠陥２１６が検出されたＴＦＴ基板２１０を搬送ロボット（図示せず）などにより修正装置に搬送し、ステージ２０９上に設置する。一方、検査装置で検出された欠陥位置情報を生産ラインのネットワーク２０５を介して受信し、その情報に基づいてステージ２０９を駆動して修正装置の光学系視野内に断線欠陥位置２１６を再現する。
【００９４】
その後、自動焦点機構（図示せず）により光学系全体をステージ２０９のＴＦＴ基板２１０を設置する面に垂直なＺ方向に移動してＴＦＴ基板２１０表面に焦点を合わせる。基板ステージ２０９により基板２１０をＺ方向に移動させても良い。光学系２０２を移動させる場合には、レーザ発振器および照射光学系も一体として移動させることでレーザ光学系の光軸を一定に保つことが可能である。ここで、レーザ光学系に搭載されているＣＣＤカメラにより撮像された画像から、修正可能な断線欠陥２１６であるかを判定する。修正可能な断線欠陥２１６と判断されればソース電極３３上に塗布材料（液状）２４３を塗布する。
【００９５】
異物が原因で断線欠陥２１６が発生し、異物が残っている場合には、パターン修正装置のパルスレーザにより異物を除去してから断線欠陥２１６修正を行う。また、必要に応じて、材料塗布２４３により接続する配線の酸化膜をレーザ照射などにより除去し、接続抵抗を減少させる。
【００９６】
材料塗布機構２０６の先端は、塗布材料２４３により固化しないように格納容器内に置かれている。これは、材料塗布機構２４３の先端部を一定状態に保つためである。断線欠陥２１６位置をパターン修正装置光学系２０２の視野のほぼ中心部に移動し、材料塗布機構２０６の先端部をこの視野中心部に来るように移動する。材料塗布機構２０６は、この部分のみが微小移動できる機能を有し、画像認識から自動で断線欠陥２１６位置への移動が可能である。
【００９７】
この状態から、材料塗布機構２０６を徐々に降下させると、先端部がドレイン線２１１の表面に接触する。さらに降下させると、材料塗布機構２０６の先端部が弾性力によりたわみ，観察視野内で先端方向にシフトする。このシフトを観察することで、材料塗布機構２０６の先端部がドレイン線２１１に接触したことを確認できる。常に一定のシフト量をモニタすることで、材料塗布機構２０６の降下量を安定化させることが可能である。また、シフト量を大きくしすぎるとソース電極３３に力が加わり、ソース電極３３に損傷を与える可能性があるため、このシフト量は，例えば数μｍ程度に設定する。接触を確認後、材料塗布機構２０６で材料の供給を行う。
【００９８】
図３２は、材料塗布機構の説明図である。図３３は、図２９の断線欠陥２１６の部分に材料塗布機構で修正用の材料を塗布した状態の説明図である。材料塗布機構２０６は、金属膜の原料となる金属錯体を充填したピペット、例えばガラス材で形成されたガラスピペットである。材料塗布機構２０６は図３２（ａ）に示すように、ピペット内に液体の塗布材料２４３を充填した構造をしている。このピペット内の材料２４３を図３２（ｂ）に示したように機械的手段２３８で押出したり、ガスによる圧力（材料との反応を抑制するため不活性ガスがよい）により断線欠陥２１６部に微量に塗布材料２４３を供給する（図３３、図３１）。塗布材料２４３を塗布する際は、図３１に示すように、接続部を十分に確保し、配線接触抵抗を低減して配線接続が十分行われるよう正常部上にも塗布材料２４３を供給する。
【００９９】
図３４は、断線欠陥の修正法の説明図である。塗布材料２４３を供給した後、図３４（ａ）に示すように、塗布形状の整形を行う。この成形には、実施例１に示したように、マスクによる形状整形加工を行う。一般に、金属膜は熱加工による加工のため強い加工エネルギーが必要なため、加工条件やＴＦＴ基板２１０の積層状態によっては下地層に損傷を与える可能性がある。そのため、塗布材料２４３が金属錯体の状態である時に光化学反応による分子解離を主にした加工によるパターン形成を行うほうが望ましい。
【０１００】
アニール（熱処理）による金属膜の形成で体積変化が大きい場合は、仮アニールで一次処理をしてから整形処理すると、アニール後の体積変動が小さくより良い。アニール処理は赤外線ランプや基板ヒータ、あるいはレーザ照射により行う。レーザ照射では、塗布材料２４３に吸収のあるレーザ光を選択するのが好適である。レーザ照射による塗布材料２４３が除去加工されないように、レーザは連続発振を用い、連続的な熱処理を行う方が望ましい。さらに、これらレーザ照射などによるアニール工程では、断線修正部に不活性ガスを供給してアニール時の酸化および塗布材料２４３の金属膜が形成する前の材質変化を抑制することで信頼性の高い配線接続を行うことができる。
【０１０１】
マスク加工により電子回路パターンの形状に整える（図３４（ａ））。マスク加工では、実施例に示すように、パルス幅数ｎｍのパルスレーザを用いることで熱影響の小さい加工が可能である。その後、アニールにより金属膜を析出し、断線修正を完了し、修正配線２１９を得る（図３４（ｂ））。必要に応じて金属膜形成後に配線整形の工程を入れても良い。
【０１０２】
以上、ＴＦＴ基板２１０のソース電極３３の工程での断線欠陥２１６の修正について示したが、他のＴＦＴ層での欠落したパターン修正でも同様な処理により修正が可能である。さらに、ＴＦＴ基板には残らない、生産工程上必要な中間層のパターンにも同様に適用することができる。この場合も含め、塗布材料２４３が光化学反応により材質が変動する場合は、塗布材料２４３や材料塗布機構２０６部を遮光し、安定した材料供給ができるような構造とする。
【０１０３】
図３５は、本発明の実施例５の修正作業のフローを説明する図である。上記した断線欠陥修正機構２０６により、図３５に示すような修正システムが可能となる。外観検査などによる欠陥検出装置により検出・分類された電子回路基板の各種パターン欠陥は以下の手順で修正する。
【０１０４】
[パターンＡ]・・ショート欠陥
図３５において、ショート欠陥修正の手順を説明する。まず、電子回路基板２１０のパターンに合ったマスクを選定する（Ｓ１Ａ）。修正対象層の材料，パターン（積層構造）などによりレーザエネルギーや波長，ショット数などの加工条件を選定する（Ｓ２Ａ）。必要に応じて複数の条件を段階的に適用する。パターンを電子回路基板と合わせ、レーザによるマスク加工を行う（Ｓ３Ａ）。１つのレーザ照射領域で修正領域が入らない場合は、複数に分割して、順次修正を行う。加工状態はパターン修正装置光学系２０２の撮像画像で実時間モニタし、修正完了か再加工か判定する（Ｓ４Ａ）。
【０１０５】
[パターンＢ]・・異物欠陥
異物が存在する場合、該異物は存在箇所や大きさにより修正対象層には影響していなくても、次の積層パターンに影響する場合がある。そのため、予め除去しておくことが基板２１０の生産工程上望ましい。ショート修正同様に、異物種（色や形状で判断）や異物発生位置、積層構造などにより加工条件を選定する（Ｓ１Ｂ）。この場合は、ショート修正同様にマスク修正を実施しても良いが、レーザエネルギーを有効に活用するため、矩形または円形にレーザ光を絞って異物を加工するのが有効である（Ｓ２Ｂ）。加工は観察光学系でモニタし，修正完了か判断する（Ｓ３Ｂ）。回路パターンに異物があり、除去加工を実施した場合に、パターンに影響があるかもしれないが、その場合は、次に説明する断線修正を行う。
【０１０６】
[パターンＣ]・・断線欠陥
断線欠陥の修正手順について説明する。まず、材料塗布を行う（Ｓ１Ｃ）。塗布状態を観察光学系でモニタし、断線欠陥部が塗布材料で満たされているか判定を行う（Ｓ２Ｃ）。材料の体積変動が大きい場合や、接続信頼性を向上するのに材料をより安定化させるために、仮アニールで一次熱処理を行う（Ｓ２Ｃ）。前記した[パターンＡ]の手順でマスク修正を施し、電子回路パターンに合わせた形状に整形する（Ｓ４Ｃ）。整形後、アニール（Ｓ５Ｃ）で金属膜を析出する。修正状態は修正装置光学系２０２で実時間モニタし、修正完了の判断を行う（Ｓ６Ｃ）。以上の修正手順により修正された基板２１０は次工程へ搬送される。
【実施例６】
【０１０７】
図３２に示した非接触型の材料塗布機構２０６では、実施例１で説明したマスク修正方式により、材料塗布後のパターン整形が可能であることから、従来のようにソース電極３３幅に高精度に合わせた材料塗布は不要である。非接触型の材料塗布機構２０６により欠陥部を含む広領域に材料を塗布し、マスク加工によりパターン形成を行う。すなわち、不要な部分はレーザ加工により除去加工し、断線欠陥２１６のある配線上には塗布材料２４３が残り、これをアニールすることで金属配線を形成することができる。
【０１０８】
この方式では、材料塗布機構２０６を基板２１０に接触させることなく塗布することができるため、材料塗布機構２０６の制御量、すなわち制御時間を短縮することができるため、修正処理時間が短くなる。この場合、材料塗布機構２０６の位置精度はレーザ修正光学系２０２と材料塗布機構２０６の位置補正を予め実施しておき、塗布材料２４３が断線欠陥部２１６に塗布材料２４３が正常部と重なって塗布する程度の位置精度を得る。塗布領域はマスク加工による整形工程があるため、必ずしもソース電極３３の配線幅内である必要はない。断線欠陥部２１６が覆われていれば良い。図３２（ｂ）では基板に対して垂直方向に材料塗布機構２０６を配置し、塗布材料２４３を射出塗布しているが、図３１で説明したように、斜方からでも良い。塗布状態はパターン修正装置光学系２０２の観察画像によりモニタし、射出量・位置の制御を行う。この方式では、接触型の材料塗布機構２０６よりも断線欠陥修正処理速度を向上することが可能である。
【実施例７】
【０１０９】
図３６は、マスク交換機能を備えたレーザによる電子回路パターン修正装置を用いた検査・修正システムを説明する図である。ここでは、基板２１０を停止することなく、検査・修正工程を連続搬送により処理するシステムを説明する。検査工程２５０では、撮像素子２２５、例えばＣＣＤ素子を備えたラインセンサ２２７などにより基板２１０を撮像し、画像処理装置２２５で欠陥検出画像処理を行い、欠陥を顕在化する。ラインセンサは大型基板も検査可能なように１軸方向に複数個並べたり、複数列に千鳥状に並べる。照明は、落射（撮像素子と同軸にある）、斜方照明２２８、透過照明２２９を単独で用いたり、複合して照射したり、照明を切替えたりすることで欠陥の顕在化を容易にするだけではなく、欠陥種の分類も可能にする。また、必要に応じて偏光照明・偏光検出をすることで、偏光特性が変化させる有機物などから構成される薄膜や異物を顕在化しやすくする。検出画像は画像処理装置２２５に送られ、ここで必要な画像処理を施し、欠陥検出を行う。
【０１１０】
これら検査工程２５０により検出された断線、ショート、異物の欠陥種と座標情報は生産ラインのネットワーク２０５を介して検査修正管理サーバ２２４にデータが送られる。
ここで、生産上致命となる欠陥、すなわち、配線ショートや断線欠陥、工程上問題となる異物などを抽出し、修正対象欠陥の絞込みと修正方法を決定する。
【０１１１】
これらのデータを修正工程２５１の修正制御ＰＣ２２６に送る。また、欠陥数がある一定値を超え、生産工程に問題があると推測される場合には、生産管理ＰＣ（図示せず）にネットワーク２０５を通じて情報を送り、工程対策を実施するように警告する。
【０１１２】
修正工程２５１は、３つの修正ヘッドである異物除去ヘッド（レーザ光学系）２３０、材料塗布ヘッド（材料塗布機構）２０６、ショート欠陥修正兼パターン形成ヘッド（レーザ光学系）２３２から構成されている。連続搬送での処理効率を上げるために、それぞれの修正ヘッドが独立に修正を行う。これらは、基板搬送方向に対して直行方向に移動して欠陥箇所を修正する。基板は常時搬送され移動しているため搬送方向にも移動するが、基板搬送速度に追従するだけの移動量があればよく、搬送方向に一定量移動したら原点に戻る機構を有する。原点に戻る際に欠陥位置が流れてきた場合は、これに追従して搬送方向に修正ヘッドを移動させる。修正もれが無いように、どの欠陥から修正するかなどの座標や対象欠陥などの修正手順は、検査修正管理サーバ２２４により決定されている。異物除去レーザ光学系２３０は基本的に異物を除去する機能であるが、必要に応じてショート修正用に用いることも可能である。
【０１１３】
検査工程２５０は一定時間で処理されるが、修正工程２５１は修正対象の欠陥数により処理時間が決まる。すなわち、欠陥数により処理時間が変動する。そのため、修正工程２５１の方が処理時間を要する場合、基板２１０の搬送が滞ってしまう可能性がある。そのため、基板２１０の搬送には、基板半分から１基板分程度の間隔を空けて搬送し、修正工程２５１での処理時間の差はこの搬送間隔で調整する。すなわち、検査工程２５０と修正工程２５１で異なる搬送速度を実現するための速度制御機能２３３を設ける。これらは、修正対象数によっては各修正ヘッドを複数設けて処理速度を速めても良い。なお、符号２０９はステージである。
【０１１４】
図３７は、マスク交換機能を備えたレーザによる電子回路パターン修正装置を用いた他の検査・修正システムを説明する図である。図３６と同一符号は同一機能部分に対応する。この構成は、修正工程２５１の搬送系２０９を２分岐にした例を示す。図３６と同様に各修正ヘッドは搬送方向と搬送方向と直交方向に移動し，欠陥位置座標に移動し、修正を行う。搬送系は２分岐にするが修正ヘッドは１ユニットとし，両搬送系にまたいで移動して修正する。例えば、１つの欠陥に対してショート修正処理を行っている時間は異物除去ヘッド２３０と材料塗布ヘッド２０６が空いてしまうため、この空きヘッドでもう一方の基板の異物除去（ショート修正も可能）や断線部の材料塗布を行う。
【０１１５】
また、搬送系２０９はそれぞれ独立に速度制御が可能であり，修正工程で２搬送系を有することで搬送調整も行い，検査工程２５０の処理速度を一定に保てるようにする。これらは，速度制御機能２３３で搬送速度の常時モニタし、制御を行い、検査修正管理サーバ２２４で修正方法、修正工程２５１の搬送方法を決定する。
【０１１６】
以上、検査・修正工程を連続搬送により処理するシステムを説明したが、搬送をステップ送りにして検査修正しても良い。その場合、検査用カメラにはラインセンサではなく停止している際にエリアセンサで撮像を行う。また、連続搬送のようにラインセンサを用いる場合には、ステップ搬送中に動画を撮像する。修正工程ではステップ送りして停止した際に修正を行う。この場合も、検査ラインと搬送ラインは異なるステップと速度で移動する。さらに、検査工程は連続搬送、修正工程はステップ搬送でも上記検査・修正は達成できる。
【０１１７】
以上、電子回路基板２１０を搭載するステージ２０９を装置設置面に対して水平にした場合について説明したが、電子回路基板２１０が大型化した場合には装置の設置面積が拡大する。そこで、図３８に示すようにすることもできる。すなわち、図３８は、電子回路基板の他の設置態様を説明する図である。異物除去ヘッドと材料塗布ヘッドが搭載された修正ユニット２３０は、移動ステージ２３５に設置され、基板２１０の任意の点を修正することができる。これまで説明した検査・修正システムの搬送形態を、図３８に示したように、設置面に対して垂直または垂直に近い向きにすることで、装置設置面積を小さくすることが可能である。この場合、検査・修正工程の光学系も基板２１０の法線方向に構成することで、水平搬送と同様に検査・修正が可能である。
【実施例８】
【０１１８】
本発明の実施例８として、ＴＦＴ（Thin Film Transistor）基板の製造方法を例にとり説明する。
【０１１９】
ＴＦＴ基板の製造プロセスは、ガラス基板上にゲート電極を形成する工程（ゲート電極形成工程）と、ゲート電極が形成されたガラス基板上にゲート絶縁膜を形成する工程（ゲート絶縁膜形成工程）と、アモルファス・シリコン等のＴＦＴ活性層（アイランド）を形成する工程（アイランド形成工程）と、ドレイン・ソース電極を形成する工程（ソース・ドレイン形成工程）と、保護膜を形成する工程（保護膜形成工程）とを含む。ここで、少なくとも、ゲート電極形成工程、アイランド形成工程、および、ドレイン・ソース電極形成工程（これらの工程を回路パターン形成工程と呼ぶ）は、回路パターン（ゲート電極、アイランド、ドレイン・ソース電極）の形成に、レジストパターンによるエッチングが利用される。実施例８では、これらの回路パターン形成工程各々において、エッチングに先立って、レジストパターンを検査し、その検査結果に従ってレジストパターンを修正することにより、回路パターンに生じるであろう不具合を、該回路パターンの形成前に修正している。
【０１２０】
図３９は、本発明の実施例８が適用された回路パターン形成工程を説明するためのプロセス図である。ここでは、回路パターンがドレイン・ソース電極である場合を例にとり説明する。
【０１２１】
先ず、成膜工程により、ゲート電極、ゲート絶縁膜およびアイランドが形成されたガラス基板（中間品）上にドレイン・ソース膜を形成する（Ｓ３９０１）。次に、レジスト膜塗布・焼成工程によりレジスト液を塗布し焼成して、ドレイン・ソース膜上にレジスト膜を形成する（Ｓ３９０２）。次に、後述する露光工程を行って、下位層の回路パターン（ゲート電極、アイランド）に対するレジストパターンの修正履歴を、マスク投影パターンに反映させ（Ｓ３９０３）、現像（Ｓ３９０４）することで、ドレイン・ソース膜上にレジストパターンを形成する。
【０１２２】
それから、レジストパターンの外観検査を行って、ショート欠陥、オープン欠陥、異物混入等の欠陥を検出する（Ｓ３９０５）。ここで、レジストパターンの外観検査には、例えば既存のパターンマッチング技術を利用できる。すなわち、エア吹き付けなどによりレジストパターン上の除去可能な異物を吹き飛ばした後、レジストパターンの撮像画像を予め用意しておいたレジストパターンの正常画像と比較して両者の不一致部分を検出する。次に、検出した不一致部分を、欠陥の種別（ショート、オープン、異物混入等）毎に予め用意しておいたレジストパターンの欠陥画像と比較する。そして、最も類似する欠陥画像に対応する欠陥種別を不一致部分で生じている欠陥として検出する。
【０１２３】
Ｓ３９０５において、レジストパターンの外観検査に異常がない場合、エッチングを行なって（Ｓ３９０７）、レジストパターンを剥離することにより（Ｓ３９０８）、ドレイン・ソース電極を形成する。
【０１２４】
一方、Ｓ３９０５において、レジストパターンの外観検査に異常がある場合、後述するレジストパターン修正工程を行って、ドレイン・ソース電極に対するレジストパターンを修正すると共に、ドレイン・ソース電極に対するレジストパターンの修正履歴を生成する（Ｓ３９０６）。それから、エッチングを行なって（Ｓ３９０７）、レジストパターンを剥離することにより（Ｓ３９０８）、ドレイン・ソース電極を形成する。
【０１２５】
図４０は、図３９に示すレジストパターン修正工程（Ｓ３９０６）を説明するためのプロセス図である。
【０１２６】
先ず、図３９に示すレジストパターン検査工程（Ｓ３９０５）で検出された欠陥種別を確認する（Ｓ４００１）。欠陥種別がショート欠陥の場合はＳ４００２〜Ｓ４００４のショート欠陥修正工程に進み、オープン欠陥の場合はＳ４００５〜Ｓ４００７のオープン欠陥修正工程に進み、そして、異物混入欠陥の場合はＳ４００８〜Ｓ４０１１の異物混入欠陥修正工程に進む。
【０１２７】
（１）ショート欠陥修正工程
図３９に示すレジストパターン検査工程（Ｓ３９０５）において、図４１（Ａ）に示すような、本来分離されているべきレジストパターン４１００、４１０１が部分Ａにより互いに繋がっているショート欠陥が検出された場合、図４１（Ｂ）に示すような、該部分Ａにのみレーザ光を照射するための開口４１０３が形成された加工用マスク４１０２を選択する（Ｓ４００２）。図３のようなショート２１部分の配線パターンと同形状のレーザ透過パターン２２を持つマスク５を介してレーザ光を照射することにより、ショート２１の部分を除去して各画素毎の画素電極３４のそれぞれに分離する。それから、修正するレジスト膜の材料、膜厚等に基づいてレーザ光の光強度、波長、ショット（パルス）数等の加工条件を選定する（Ｓ４００３）。次に、図４１（Ｃ）に示すように、選定した加工用マスク４１０２の部分Ａへの位置合わせを行うと共に、選定した加工条件に従いレーザ光を、該加工用マスク４１０２を介してショート欠陥位置に照射する。この際、撮像装置で部分Ａを撮像し、撮像した部分Ａの画像に対して分光波形（例えばＲＧＢ強度）解析を行うことにより部分Ａの分光特性を調べ、該分光特性から部分Ａの残膜の厚みを測定し、該測定結果に応じてレーザ光の加工条件（ショット数等）を変更するようにフィードバック制御してもよい。例えば、１ショット当たりの膜厚の変化を測定し、測定結果を用いて残膜を除去するのに必要なショット数を計算して加工条件を変更してもよい。あるいは、部分Ａの残膜の厚み分布を測定し、部分Ａにおいて他の部分に比べ厚みが大きい（小さい）部分の光強度を強く（弱く）するように加工条件を変更してもよい。これにより、図４１（Ｄ）に示すように、部分Ａを除去して、レジストパターン４１００、４１０１を分離する（Ｓ４００４）。
【０１２８】
（２）オープン欠陥修正工程
図３９に示すレジストパターン検査工程（Ｓ３９０５）において、図４２（Ａ）に示すような、本来繋がっているべきレジストパターン４２００、４２０１が部分Ｂにて互い分離しているオープン欠陥が検出された場合、図４２（Ｂ）に示すように、部分Ｂに対してレジスト液４２０２を局所的に再塗布し、焼成する（Ｓ４００５）。この際、撮像装置で部分Ｂを撮像し、撮像した部分Ｂの画像に対して分光波形解析を行うことにより部分Ｂの分光特性を調べ、該分光特性から部分Ｂに再塗布したレジスト液の膜厚あるいは硬度を測定し、該測定結果に応じてレジスト液のショット数等の塗布条件やヒータ温度等の焼成条件を変更するようにフィードバック制御してもよい。例えば、１ショット当たりの膜厚の変化を測定し、測定結果を用いて所定のレジスト膜を形成するのに必要なショット数を計算して塗布条件を変更してもよい。あるいは、部分Ｂに形成されたレジスト膜の硬度分布を測定し、部分Ｂにおいて他の部分に比べ硬化度合いの小さい（大きい）部分のヒータ温度を強く（弱く）するように焼成条件を変更してもよい。
【０１２９】
なお、Ｓ４００５に先立って、部分Ｂにレーザ光を照射して微細な凹部を形成し、あるいはラフネス形成してもよい。このようにすることで、レジスト液に塗布位置の自己アライメント機能を持たせることが可能となる。
【０１３０】
次に、図４２（Ｃ）に示すような、部分Ｂにレジストパターンを再形成するための再形成用マスク４２０３を選択する（Ｓ４００６）。また、再塗布したレジスト膜の材料、膜厚等に基づいてレーザ光の光強度、波長、ショット数等の加工条件を選定する。それから、図４２（Ｄ）に示すように、選定した再形成用マスク４２０３の部分Ｂへの位置合わせを行うと共に、選定した加工条件に従い、該局所露光用マスク４２０２を介して部分Ｂにレーザ光を照射し整形する（Ｓ４００７）。これにより、図４１（Ｅ）に示すように、部分Ｂにレジスト膜を形成して、レジストパターン４２００、４２０１を接続する（Ｓ４００７）。
【０１３１】
なお、レジスト液の塗布はおおよその精度で行い、前述したように、回路パターンと同形状のマスクパターンを通してレーザを照射し、形状整形することも可能である。すなわち、図３のようなショート２１部分の配線パターンと同形状のレーザ透過パターン２２を持つマスク５を介してレーザ光を照射することにより、ショート２１の部分を除去して各画素毎の画素電極３４のそれぞれに分離する。
【０１３２】
（３）異物混入欠陥修正工程
図３９に示すレジストパターン検査工程（Ｓ３９０５）において、図４３（Ａ）に示すような、エア吹き付けなどでは除去できない異物４３０１がレジストパターン４３００の部分Ｃに混入している異物混入欠陥が検出された場合、図４３（Ｂ）に示すように、部分Ｃおよび迂回パターンが形成される部分を含む領域Ｄに対してレジスト液４３０３を局所的に再塗布し、焼成する（Ｓ４００８）。この際、撮像装置で領域Ｄを撮像し、撮像した領域Ｄの画像に対して分光波形解析を行うことにより領域Ｄの分光特性を調べ、該分光特性から領域Ｄに再塗布したレジスト液の膜厚あるいは硬度を測定し、該測定結果に応じてレジスト液のショット数等の塗布条件やヒータ温度等の焼成条件を変更するようにフィードバック制御してもよい。例えば１ショット当たりの膜厚の変化を測定し、測定結果を用いて所定のレジスト膜を形成するのに必要なショット数を計算して塗布条件を変更してもよい。あるいは、領域Ｄに形成されたレジスト膜の硬度分布を測定し、領域Ｄにおいて他の部分に比べ硬化度合いの小さい（大きい）部分のヒータ温度を強く（弱く）するように焼成条件を変更してもよい。
【０１３３】
次に、図４３（Ｃ）に示すような、該部分Ｃを迂回してレジストパターンを形成するための迂回用マスク４３０２を選択する（Ｓ４００９）。また、再塗布したレジスト膜の材料、膜厚等に基づいてレーザ光の光強度、波長等の加工条件を選定する。それから、図４３（Ｄ）に示すように、選定した迂回用マスク４３０２の領域Ｄへの位置合わせを行うと共に、選定した加工条件に従い、該迂回用マスク４３０２を介して領域Ｄにレーザ光を照射し整形する（Ｓ４０１０）。これにより、図４３（Ｅ）に示すように、領域Ｅに迂回パターン４３０４を形成する。
【０１３４】
なお、Ｓ４００９に先立って、部分Ｃにレーザ光を照射して異物混入したレジストパターンの部分を除去するようにしてもよい。この場合において、エッチング層（下地層）に膜剥がれ等が生じていない場合、（２）オープン欠陥修正工程の場合と同様の処理（Ｓ４００５〜Ｓ４００７）を行って、部分Ｃにレジストパターンを再形成してもよい。
【０１３５】
図４４は、図３９に示す回路パターン形成工程（Ｓ３９０３）を説明するためのプロセス図である。
【０１３６】
先ず、下位の回路パターン層に対して図４０のＳ４００８〜４０１０（異物混入欠陥修正工程）が実行されたか否かを調べる（Ｓ４４０１）。例えば、形成対象の回路パターンがドレイン・ソース電極である場合、下位の回路パターン層であるアイランド層あるいはゲート電極層に対して、図４０のＳ４００８〜４０１０が実行されたか否かを調べる(Ｓ４４０１)。
【０１３７】
Ｓ４４０１で実行されていないと判断された場合には、通常の回路パターン工程を経る（Ｓ４４０２）。一方、Ｓ４４０１で実行されていると判断された場合には、迂回回路を形成しなくてはならない。回路パターン形成のための露光工程では、正常回路（迂回回路を形成しない状態）をパターン形成するため、図４０のＳ４００８〜４０１０で行った修正が活用されない。そこで、この座標部にレジストを塗布（正常回路パターン部をレジストで平坦化して再形成する）し（Ｓ４４０３）、新たに下層パターンに合わせた迂回回路をレーザ加工でパターン形成する（Ｓ４４０４）。
【０１３８】
また、露光工程がＤＭＤや液晶表示装置などを用いた、マスクレス露光工程においては、次の方法も有効である。すなわち、Ｓ４４０１で実行されていないと判断された場合は、形成対象の回路パターンのために用意された標準の露光用マスクを用いて露光を行う。一方、Ｓ４４０１で実行されていると判断された場合は、下位の回路パターン装置で用いられた迂回用マスクに合わせて露光マスクを局所的に変更して露光を行う。
【０１３９】
例えば、アイランド層（ＴＦＴ活性層）の形成工程において図４０のＳ４００８〜４０１０が実行された結果、図４５（Ａ）に示すように、アイランド４５０１が本来の形成位置Ｅから距離Ｈだけオフセットした位置Ｆに形成された場合、ドレイン・ソース電極層の形成工程において図４４のＳ４４０３が実行され、該アイランド４５０１上に形成されるべきドレイン電極４５０２、ソース電極４５０３がこのオフセットに合わせて本来の電極端部４５０４から距離Ｈだけ延長されて形成されるように、ドレイン電極４５０２、ソース電極４５０３用の露光マスクを局所的に変更する。そして、該露光マスクを用いて露光を行う。
【０１４０】
次に、図３９に示すレジストパターン検査工程（Ｓ３９０５）およびレジストパターン修正工程（Ｓ３９０６）に用いるレジストパターン検査・修正システムを説明する。
【０１４１】
図４６は実施例８のレジストパターン検査工程およびレジストパターン修正工程に用いるレジストパターン検査・修正システムの一例を示す図である。
【０１４２】
図示するように、レジストパターン検査・修正システムは、ステージ４８０上を流れるＴＦＴ基板の中間品（最上位層にレジストパターンが形成された状態のＴＦＴ基板）４８５に形成されたレジストパターンを検査するレジストパターン検査装置４６０と、レジストパターン検査装置４６０での検査結果に従い、ステージ４８０上を流れるＴＦＴ基板の中間品４８５に形成されたレジストパターンの欠陥を修正するレジストパターン修正装置４７０と、レジストパターン検査装置４６０およびレジストパターン修正装置４７０を接続するＬＡＮ等のネットワーク４９０と、を有する。
【０１４３】
レジストパターン検査装置４６０は、ラインセンサ４６１と、欠陥検出装置４６２とを有する。ラインセンサ４６１は、ＴＦＴ基板の中間品４８５が備える少なくとも１ライン分のＴＦＴ素子の中間品を撮像できるように、複数の撮像素子（例えばＣＣＤカメラ）が配列されて構成されている。
【０１４４】
欠陥検出装置４６２は、ＴＦＴ基板の中間品４８５に形成されたレジストパターンの欠陥を検出するコンピュータである。欠陥検出装置４６２には、ＴＦＴ基板に作り込まれるＴＦＴ素子について、ゲート電極用のレジストパターン、ゲート絶縁膜用のレジストパターン、アイランド用のレジストパターンおよびドレイン・ソース電極用のレジストパターンそれぞれの正常画像が予め登録されている。また、ゲート電極用のレジストパターン、ゲート絶縁膜用のレジストパターン、アイランド用のレジストパターンおよびドレイン・ソース電極用のレジストパターンのそれぞれについて、欠陥の種別（ショート、オープンおよび異物混入等）毎にレジストパターンの欠陥画像が予め登録されている。
【０１４５】
欠陥検出装置４６２は、ラインセンサ４６１により撮像した各ＴＦＴ素子の中間品のレジストパターン画像を、当該レジストパターンの正常画像と比較して、パターンマッチング技術により両者の不一致部分を検出する。そして、検出した不一致部分を、欠陥の種別毎に予め登録されている当該レジストパターンの欠陥画像と比較し、最も類似する欠陥画像に対応する欠陥種別を不一致部分で生じている欠陥として検出する。それから、欠陥種別と、欠陥発生箇所の座標情報と、欠陥発生箇所の撮像画像とを含む欠陥情報を作成し、ネットワーク４９０を介してレジストパターン修正装置４７０に送信する。
【０１４６】
なお、欠陥検出装置４６２は、ラインセンサ４６１により撮像した各ＴＦＴ素子の中間品のレジストパターン画像の各画素を隣接画素（正常部）と比較して、欠陥の存在を判定するようにしてもよい。また、レジストパターン画像から抽出した特徴量（形状、色、膜厚など）を用いて、欠陥の種類を判定してもよい。また、上述の登録画像と組み合わせて、欠陥の有無および種類を判定するようにしてもよい。
【０１４７】
レジストパターン修正装置４７０は、レジスト液を局所的に塗布し焼成する塗布・焼成機構４７１と、マスクとＴＦＴ基板の中間品４８５の欠陥部分との位置合わせを行い、レーザ加工によりレジストパターンの欠陥部分を修正する撮像・レーザ光学系４７２と、制御装置４７３と、を有する。制御装置４７３は、塗布・焼成機構４７１および撮像・レーザ光学系４７２を制御するコンピュータである。
【０１４８】
図４７はレジストパターン修正装置４７０の概略構成図である。
【０１４９】
塗布・焼成機構４７１（図４６参照）は、塗布機構および焼成機構を有する。焼成機構は、熱量を局所的に変更可能なヒータ面を備えたヒータ４７１５を有する。塗布機構は、レジスト液を保持するディスペンサ４７１１と、ディスペンサ４７１１を駆動してディスペンサ４７１１からレジスト液を吐出する駆動装置４７１２とを有する。図４８はディスペンサ４７１１の概略断面図である。
【０１５０】
図示するように、ディスペンサ４７１１は、吐出口が形成された保持部４７１１１と、ピストン部４７１１２と、アシストガス誘導部４７１１３とを有する。保持部４７１１１にはレジスト液４７１１４が保持される。ピストン部４７１１２は駆動装置４７１２によって駆動され、保持部４７１１１に保持されたレジスト液４７１１４を吐出口から押し出す。なお、保持部４７１１１に保持されているレジスト液４７１１４とピストン部４７１１１との間に、窒素などのレジスト液４７１１４の材料安定化のための不活性ガス４７１１５を充填しておくとよい。誘導部４７１１３は、保持部４７１１１の周囲に形成され、保持部４７１１１の吐出口の周囲から保持部４７１１１に保持されているレジスト液４７１１４を押し出す方向に、駆動装置４７１２から供給される窒素などの不活性ガスを吹き出す。誘導部４７１１３を設けることにより、ディスペンサ４７１１をＴＦＴ基板の中間品４８５の欠陥部分から離れた位置に配置した場合でも、該欠陥部分にレジスト液４７１１４を塗布する（飛ばす）ことが可能となる。なお、該欠陥部分に塗布されたレジスト液の塗布状態や焼成状態、および、レーザ加工による整形状態等を後述する撮像光学系でリアルタイムでモニタできるようにするために、ディスペンサ４７１１は、図４７に示すように、撮像光学系およびレーザ光学系の光軸Ｌに重ならない位置に配置するとよい。
【０１５１】
撮像・レーザ光学系４７２（図４６参照）は、レーザ光学系および撮像光学系を有する。ここで、レーザ光学系および撮像光学系は同じ光軸Ｌを有する。
【０１５２】
レーザ光学系は、レーザ発振器４７２１と、ビームエキスパンダおよびホモジナイザ等からなるビーム整形機構４７２２と、マスクステージ等からなるマスク機構４７２３と、結像レンズ４７２４と、対物レンズ４７２５とを有する。レーザ発振器４７２１から照射されたレーザ光は、ビーム整形機構４７２２により、所定のビーム径に広げられ、且つ、レーザ照射領域におけるレーザ強度分布が所定の分布となるように整形される。次に、整形されたレーザ光は、マスク機構４７４１に設置されたマスクに応じたマスク投影パターンに整形され、その後、結像レンズ４７２４および対物レンズ３４２５を介して、ステージ４８０上に設置されたＴＦＴ基板の中間品４８５の欠陥部分に照射される。
【０１５３】
撮像光学系は、ＡＦ（オートフォーカス）機構を搭載した撮像装置（例えばＣＣＤカメラ）４７３１と、レンズ４７３２と、ハーフミラー４７３３と、レジストパターン撮像用照明装置（例えば光源用ファイバ）４７３４と、集光レンズ４７３５と、ハーフミラー４７３６と、マスク撮像用照明装置（例えば光源用ファイバ）４７３７と、集光レンズ４７３８と、ハーフミラー４７３９と、透過照明用照明装置（例えば光源用ファイバ）４７４０と、集光レンズ４７４１と、を有する。
【０１５４】
撮像装置４７３１は、マスク機構４７２３に設置されたマスクの映像をハーフミラー４７３３、レンズ４７３２を介して撮像する。この際、マスクパターン撮像用照明装置４７３７の光を集光レンズ４７３８およびハーフミラー４７３９を介してマスク機構４７２３に設置されたマスクに照射することでマスクの映像の明るさを調節する。また、撮像装置４７３１は、ステージ４８０に設置されたＴＦＴ基板の中間品４８５の映像をハーフミラー４７３３、レンズ４７３２を介して撮像する。この際、レジストパターン撮像用照明装置４７３４の光を集光レンズ４７３５およびハーフミラー４７３６を介してステージ４８０に設置されたＴＦＴ基板の中間品４８５に照射することで中間品４８５の映像の明るさを調節する。また、透過照明用照明装置４７４０の光を集光レンズ４７４１を介してステージ４８０に設置されたＴＦＴ基板の中間品４８５に裏側から照射することで中間品４８５の映像の明るさを調節する。
【０１５５】
制御装置４７３は、ネットワーク４９０を介して欠陥検出装置４６２から送られてきた欠陥情報に従い、レジストパターン修正装置４７０の各部を制御し、局所的なレジスト液の塗布・焼成、および、レジストパターンの欠陥修正を行う。
【０１５６】
（１）局所的なレジスト液の塗布・焼成
制御装置４７１は、欠陥検出装置４６２より受信した欠陥情報に含まれている欠陥種別がオープン欠陥あるいは異物混入欠陥である場合に、局所的なレジスト液の塗布・焼成のためにレジストパターン修正装置４７０の各部を制御する。先ず、ステージ４８０を制御して、欠陥情報に含まれている欠陥発生箇所の座標情報が示す位置が、ディスペンサ４７１１によるレジスト液の塗布位置と一致するように、ステージ４８０上に設置されたＴＦＴ基板の中間品４８５を移動する。
【０１５７】
次に、駆動装置４７１を制御してディスペンサ４７１１からレジスト液を吐出させ、該中間品のレジストパターン欠陥部分をレジスト液で覆うようにレジスト液を塗布する。この際、撮像装置４７３１で撮像したレジストパターン欠陥部分の映像を分光波形解析して、該欠陥部分の分光特性を調べ、制御装置４７１に予め登録されている分光特性とレジスト液の膜厚との関係情報から該欠陥部分に再塗布したレジスト液の膜厚を測定し、該測定結果に応じてレジスト液のショット数等の塗布条件を変更するようにフィードバック制御する。例えば、１ショット当たりの膜厚の変化を測定し、測定結果を用いて所定のレジスト膜を形成するのに必要なショット数のレジスト液がディスペンサ４７１１から吐出されるように駆動装置４７１２を制御する。なお、レジスト液の膜厚は、撮像装置４７３１が備えるＡＦ機構の焦点位置の変化を用いて測定してもよい。また、再塗布されたレジスト液の押圧機構（へら等）を設け、レジスト液の膜厚をこの押圧機構により調節できるようにしてもよい。
【０１５８】
次に、ヒータ４７１５を制御し、ＴＦＴ基板の中間品４８５のレジストパターン欠陥部分に再塗布されたレジスト液を焼成する。この際、撮像装置４７３１で撮像したレジスト液の再塗布部分の映像を分光波形解析して、該再塗布部分の分光特性を調べ、制御装置４７１に予め登録されている分光特性とレジスト液の硬化度との関係情報から該再塗布部分のレジスト液の硬化度を測定し、該測定結果に応じてレジスト液の焼成条件を変更するようにフィードバック制御する。例えば、再塗布部分のレジスト膜の硬度分布を測定し、該再塗布において他の部分に比べ硬化度合いの小さい（大きい）部分のヒータ温度を強く（弱く）するようにヒータ４７１５を制御する。
【０１５９】
（２）レジストパターンの欠陥修正
制御装置４７１は、欠陥検出装置４６２より受信した欠陥情報に従ってレジストパターンの欠陥部分を修正するためのレジストパターン修正装置４７０の各部を制御する。先ず、欠陥検出装置４６２より受信した欠陥情報に含まれているレジストパターン欠陥部分の撮像画像を図示していない表示装置に表示させ、操作者に該欠陥部分の修正に用いるマスク（加工用マスク、再形成用マスク、迂回用マスク）をマスク機構４７２３に設置させる。次に、マスク機構４７２３に設置されたマスクとステージ４８０に設置されたＴＦＴ基板の中間品４８５とを撮像装置４７３１で撮像し、例えばマスクに設けられた基準マークが中間品４８５の所定の位置と重なるように、ステージ４８０を制御して、ステージ４８０上に設置されたＴＦＴ基板の中間品４８５を移動する。
【０１６０】
次に、レーザ発振器４７２１を制御して、ＴＦＴ基板の中間品４８５のレジストパターンを整形する。この際、撮像装置４７３１で撮像したレジストパターンの欠陥部分の映像を分光波形解析して、該欠陥部分の分光特性を調べ、制御装置４７１に予め登録されている分光特性とレジスト膜の膜厚との関係情報から該欠陥部分のレジスト膜の膜厚を測定し、該測定結果に応じてレーザ光の加工条件を変更するようにフィードバック制御する。例えば、１ショット当たりの膜厚の変化を測定し、測定結果を用いて残膜を除去するのに必要なショット数のレーザパルスを出力するようにレーザ発振器４７２１を制御する。あるいは、欠陥部分の残膜の厚み分布を測定し、該欠陥部分において他の部分に比べ厚みが大きい（小さい）部分のレーザ強度を強く（弱く）するようにビーム整形機構４７２２を変更する。
【０１６１】
なお、レジストパターン修正装置４７０は、図４７に示すように、エア吹き付け、光分解、熱・化学処理分解等によりレジストパターンに混入した異物を除去するための異物除去機構４７５０を備えていてもよい。
【０１６２】
以上、本発明の実施例８を説明した。実施例８では、レジストパターンに対して修正を行うのでパターン欠陥の修正によるパターン層への影響を低減できる。また、ＴＦＴ基板のパターン層各々の形成工程においてレジストパターンの検査および修正を行うので、各パターン層のパターン欠陥を修正できる。したがって、回路パターンの品質・精度を低下させることなく、ＴＦＴ基板に作り込まれた回路パターンの不具合発生を防止することができる。
【０１６３】
なお、実施例８ではレジストパターンの欠陥部分にレジスト液を再塗布しているが、レジスト材は液状のものなくてもよい。例えば図４９（Ａ）に示すようなフィルム状のレジスト材４９０１を用いてよい。あるいは、図４９（Ｂ）に示すような粒子状のレジスト材４９０２を用いてもよい。なお、図４９において、符号４９０３はレジスト膜、符号４９０４はエッチング層（下地層）である。
【図面の簡単な説明】
【０１６４】
【図１】液晶表示装置のアクティブ・マトリクス基板に形成される画素の一例を説明する平面模式図である。
【図２】複数の画素電極にまたがる巨大なショートが存在する例を示す模式平面図である。
【図３】ショート部分の配線パターンと同形状のレーザ透過パターンを持つマスクの説明図である。
【図４】本発明に係るレーザ照射光学系構成の説明図である。
【図５】本発明に係る修正装置のシステム構成の説明図である。
【図６】マスクと実パターンの基準点を取得する方法の第１例の説明図である。
【図７】マスクと実パターンの基準点を取得する方法の第２例の説明図である。
【図８】マスクと実パターンの基準点を取得する方法の第３例の説明図である。
【図９】マスクと実パターンの基準点を取得する方法の第４例の説明図である。
【図１０】配線のパターンの基準点とマスク像の基準点との相対的位置関係を登録する別の方法を実現するレーザ照射光学系構成の説明図である。
【図１１】レーザ照射領域の計画方法の説明図である。
【図１２】抽出したパターン基準点の説明図である。
【図１３】レーザ照射領域の検出法を説明する図である。
【図１４】レーザ照射領域の設定法の説明図である。
【図１５】レーザ照射領域形状の説明図である。
【図１６】図１１に示した欠陥を含む配線の修正途中のマスクアライメントの説明図である。
【図１７】レーザ照射領域の他の設定方法を説明する図である。
【図１８】レーザ照射領域のさらに他の設定方法を説明する図である。
【図１９】マスクホルダの構成例の説明図である。
【図２０】配線のパターンの基準点とマスク像の基準点との相対的位置関係を登録するさらに他の方法を実現するレーザ照射光学系構成の説明図である。
【図２１】本発明のパターン修正装置の他の構成例の説明図である。
【図２２】本発明のパターン修正装置の全体構成の一例を示す図である。
【図２３】本発明のパターン修正装置の全体構成の他例を示す図である。
【図２４】光学ユニットの付属装置の説明図である。
【図２５】異物除去を実施するときの修正フローの説明図である。
【図２６】本発明の実施例２を説明するプロセス図である。
【図２７】本発明の実施例３を説明するプロセス図である。
【図２８】本発明の実施例４を説明するプロセス図である。
【図２９】液晶表示装置の配線パターンに断線がある場合の修正を説明する図である。
【図３０】実施例５の断線欠陥修正方法を実施するのに好適な修正装置の構成を示す図である。
【図３１】断線修正用の材料の塗布状態を説明する材料塗布機構の拡大図である。
【図３２】材料塗布機構の説明図である。
【図３３】図２９の断線欠陥の部分に材料塗布機構で修正用の材料を塗布した状態の説明図である。
【図３４】断線欠陥の修正法の説明図である。
【図３５】本発明の実施例５の修正作業のフローを説明する図である。
【図３６】マスク交換機能を備えたレーザによる電子回路パターン修正装置を用いた検査・修正システムを説明する図である。
【図３７】マスク交換機能を備えたレーザによる電子回路パターン修正装置を用いた他の検査・修正システムを説明する図である。
【図３８】電子回路基板の他の設置態様を説明する図である。
【図３９】本発明の実施例８が適用された回路パターン形成工程を説明するためのプロセス図である。
【図４０】図３９に示すレジストパターン修正工程（Ｓ３９０６）を説明するためのプロセス図である。
【図４１】ショート欠陥修正工程を説明するための図である。
【図４２】オープン欠陥修正工程を説明するための図である。
【図４３】異物混入欠陥修正工程を説明するための図である。
【図４４】図３９に示す回路パターン形成工程（Ｓ３９０３）を説明するためのプロセス図である。
【図４５】露光マスクを局所的に変更して露光を行う場合を説明するための図である。
【図４６】実施例８のレジストパターン検査工程およびレジストパターン修正工程に用いるレジストパターン検査・修正システムの一例を示す図である。
【図４７】図４７はレジストパターン修正装置４７０の概略構成図である。
【図４８】図４８はディスペンサ４７１１の概略断面図である。
【図４９】再塗布するレジスト材の変形例を示す図である。
【符号の説明】
【０１６５】
５…マスク、９…ガラス基板、２１…欠陥、２２…レーザ照射領域、３１…ゲート配線、３３…ドレイン配線、３４…画素電極、５０…ショート欠陥、５１…マスクホルダ、２０６…材料塗布機構、２４３…塗布材料、４６０…レジストパターン検査装置、４７０…レジストパターン修正装置、４８０…ステージ、４９０…ネットワーク
【図１】
2006119575.tif 000003
【図２】
2006119575.tif 000004
【図３】
2006119575.tif 000005
【図４】
2006119575.tif 000006
【図５】
2006119575.tif 000007
【図６】
2006119575.tif 000008
【図７】
2006119575.tif 000009
【図８】
2006119575.tif 000010
【図９】
2006119575.tif 000011
【図１０】
2006119575.tif 000012
【図１１】
2006119575.tif 000013
【図１２】
2006119575.tif 000014
【図１３】
2006119575.tif 000015
【図１４】
2006119575.tif 000016
【図１５】
2006119575.tif 000017
【図１６】
2006119575.tif 000018
【図１７】
2006119575.tif 000019
【図１８】
2006119575.tif 000020
【図１９】
2006119575.tif 000021
【図２０】
2006119575.tif 000022
【図２１】
2006119575.tif 000023
【図２２】
2006119575.tif 000024
【図２３】
2006119575.tif 000025
【図２４】
2006119575.tif 000026
【図２５】
2006119575.tif 000027
【図２６】
2006119575.tif 000028
【図２７】
2006119575.tif 000029
【図２８】
2006119575.tif 000030
【図２９】
2006119575.tif 000031
【図３０】
2006119575.tif 000032
【図３１】
2006119575.tif 000033
【図３２】
2006119575.tif 000034
【図３３】
2006119575.tif 000035
【図３４】
2006119575.tif 000036
【図３５】
2006119575.tif 000037
【図３６】
2006119575.tif 000038
【図３７】
2006119575.tif 000039
【図３８】
2006119575.tif 000040
【図３９】
2006119575.tif 000041
【図４０】
2006119575.tif 000042
【図４１】
2006119575.tif 000043
【図４２】
2006119575.tif 000044
【図４３】
2006119575.tif 000045
【図４４】
2006119575.tif 000046
【図４５】
2006119575.tif 000047
【図４６】
2006119575.tif 000048
【図４７】
2006119575.tif 000049
【図４８】
2006119575.tif 000050
【図４９】
2006119575.tif 000051